(57)【特許請求の範囲】
【請求項１】
免許不要の無線周波数帯域において動作周波数帯を共有する無線アクセス技術(RAT)間の干渉を軽減するための通信の方法であって、
第1のRATと関連付けられている来たるべき信号送信を特定するステップであって、前記信号送信が送信期間の間の前記共有された動作周波数帯における送信のためにスケジューリングされる、ステップと、
保護ステータスに関して前記信号送信を分類するステップであって、保護される送信の集合に対応する前記信号送信に含まれる情報のタイプに基づく、ステップと、
前記保護ステータスに基づいて、前記送信期間の少なくとも一部分のために前記共有された動作周波数帯の少なくとも一部分を確保するために、第2のRATと関連付けられているチャンネル確保メッセージを前記共有された動作周波数帯を通じて送信するステップとを備える、方法。
【請求項２】
前記第1のRATがLong Term Evolution(LTE)技術を備え、
前記第2のRATがWi-Fi技術を備える、請求項1に記載の方法。
【請求項３】
前記送信するステップが、前記第2のRATに従って動作する第2の送受信機を介して実行され、前記第2の送受信機が、前記特定された信号送信を送信または受信するために前記第1のRATに従って動作する第1の送受信機と併置される、請求項1に記載の方法。
【請求項４】
前記チャンネル確保メッセージが、前記第2のRATによって定義される、Clear-to-Send-to-Self(CTS2S)メッセージ、Request-to-Send(RTS)メッセージ、またはClear-to-Send(CTS)メッセージの少なくとも1つを備える、請求項1に記載の方法。
【請求項５】
前記チャンネル確保メッセージが、前記免許不要の帯域上で前記第2のRATによって定義されるチャンネルのすべてよりも少数のものを表す前記チャンネルのサブセット上で送信される、請求項1に記載の方法。
【請求項６】
前記保護される送信の集合が、取得信号、ランダムアクセスチャンネル(RACH)信号、最後のハイブリッド自動再送要求(HARQ)送信、クリアチャンネルアセスメント(CCA)、ページングメッセージ、時間整合の指示、システム情報ブロック(SIB)を含むブロードキャスト信号、モビリティおよびハンドオーバーの指示、またはこれらの組合せの少なくとも1つを備える、請求項1に記載の方法。
【請求項７】
前記共有された動作周波数帯において、前記第2のRATと関連付けられているシグナリングを監視するステップと、
前記監視されたシグナリングに基づいて、前記第2のRATに対する利用率の尺度を決定するステップと、
前記利用率の尺度に基づいて、前記チャンネル確保メッセージの前記送信を適合させるステップとをさらに備える、請求項1に記載の方法。
【請求項８】
前記適合させることがさらに、前記第1のRATと関連付けられている前記来たるべき信号送信の1つまたは複数の予想される特性または過去の特性に基づく、請求項7に記載の方法。
【請求項９】
前記1つまたは複数の予想される特性または過去の特性が、前記来たるべき信号送信を受信するための予想されるチャンネルの品質、受信機の近接、以前の信号の受信と関連付けられている成功または失敗の履歴、システム取得の履歴、送信期間の頻度、またはこれらの組合せの少なくとも1つを備える、請求項8に記載の方法。
【請求項１０】
前記特定するステップ、分類するステップ、および送信するステップが、ユーザデバイスによって実行され、
前記特定するステップが、前記ユーザデバイスにおいて、基地局によって送信されたシステム情報を監視するステップを備え、
前記分類するステップが、前記システム情報に基づいて前記保護ステータスを決定するステップを備える、請求項1に記載の方法。
【請求項１１】
前記保護ステータスが、前記基地局からの前記システム情報によって直接示される、請求項10に記載の方法。
【請求項１２】
前記保護ステータスが、前記基地局からの前記システム情報から前記ユーザデバイスによって間接的に推測される、請求項10に記載の方法。
【請求項１３】
前記特定するステップ、分類するステップ、および送信するステップが、基地局によって実行され、
前記特定するステップが、前記基地局において、来たるべきシグナリングに関するスケジューラ情報を問い合せるステップを備え、
前記分類するステップが、前記スケジューラ情報に基づいて前記保護ステータスを決定するステップを備える、請求項1に記載の方法。
【請求項１４】
免許不要の無線周波数帯域において動作周波数帯を共有する無線アクセス技術(RAT)間の干渉を軽減するための通信のための装置であって、
第1のRATと関連付けられている来たるべき信号送信を特定することであって、前記信号送信が送信期間の間の前記共有された動作周波数帯における送信のためにスケジューリングされる、特定することと、保護ステータスに関して前記信号送信を分類することとを行うように構成され、保護される送信の集合に対応する前記信号送信に含まれる情報のタイプに基づいて前記信号送信を分類するように構成される、プロセッサと、
前記保護ステータスに基づいて、前記送信期間の少なくとも一部分のために前記共有された動作周波数帯の少なくとも一部分を確保するために、第2のRATと関連付けられているチャンネル確保メッセージを前記共有された動作周波数帯を通じて送信するように構成される、送受信機とを備える、装置。
【請求項１５】
前記第1のRATがLong Term Evolution(LTE)技術を備え、
前記第2のRATがWi-Fi技術を備える、請求項14に記載の装置。
【請求項１６】
前記送受信機が、前記第2のRATに従って動作する第2の送受信機であり、前記第2の送受信機が、前記特定された信号送信を送信または受信するために前記第1のRATに従って動作する第1の送受信機と併置される、請求項14に記載の装置。
【請求項１７】
前記チャンネル確保メッセージが、前記第2のRATによって定義される、Clear-to-Send-to-Self(CTS2S)メッセージ、Request-to-Send(RTS)メッセージ、またはClear-to-Send(CTS)メッセージの少なくとも1つを備える、請求項14に記載の装置。
【請求項１８】
前記送受信機が、前記免許不要の帯域上で前記第2のRATによって定義されるチャンネルのすべてよりも少数のものを表す前記チャンネルのサブセット上で前記チャンネル確保メッセージを送信するように構成される、請求項14に記載の装置。
【請求項１９】
前記保護される送信の集合が、取得信号、ランダムアクセスチャンネル(RACH)信号、最後のハイブリッド自動再送要求(HARQ)送信、クリアチャンネルアセスメント(CCA)、ページングメッセージ、時間整合の指示、システム情報ブロック(SIB)を含むブロードキャスト信号、モビリティおよびハンドオーバーの指示、またはこれらの組合せの少なくとも1つを備える、請求項14に記載の装置。
【請求項２０】
前記プロセッサがさらに、
前記共有された動作周波数帯において、前記第2のRATと関連付けられているシグナリングを監視し、
前記監視されたシグナリングに基づいて、前記第2のRATに対する利用率の尺度を決定し、
前記利用率の尺度に基づいて、前記チャンネル確保メッセージの前記送信を適合させるように構成される、請求項14に記載の装置。
【請求項２１】
前記プロセッサが、前記第1のRATと関連付けられている前記来たるべき信号送信の1つまたは複数の予想される特性または過去の特性にさらに基づいて、前記送信を適合させるように構成される、請求項20に記載の装置。
【請求項２２】
前記1つまたは複数の予想される特性または過去の特性が、前記来たるべき信号送信を受信するための予想されるチャンネルの品質、受信機の近接、以前の信号の受信と関連付けられている成功または失敗の履歴、システム取得の履歴、送信期間の頻度、またはこれらの組合せの少なくとも1つを備える、請求項21に記載の装置。
【請求項２３】
前記プロセッサおよび前記送受信機がユーザデバイスに対応し、
前記プロセッサが、前記ユーザデバイスにおいて、基地局によって送信されたシステム情報を監視することによって、前記信号送信を特定するように構成され、
前記プロセッサが、前記システム情報に基づいて前記保護ステータスを決定することによって、前記信号送信を分類するように構成される、請求項14に記載の装置。
【請求項２４】
前記保護ステータスが、前記基地局からの前記システム情報によって直接示される、請求項23に記載の装置。
【請求項２５】
前記保護ステータスが、前記基地局からの前記システム情報から前記ユーザデバイスによって間接的に推測される、請求項23に記載の装置。
【請求項２６】
前記プロセッサおよび前記送受信機が基地局に対応し、
前記プロセッサが、前記基地局において、来たるべきシグナリングに関するスケジューラ情報を問い合せることによって、前記信号送信を特定するように構成され、
前記プロセッサが、前記スケジューラ情報に基づいて前記保護ステータスを決定することによって、前記信号送信を分類するように構成される、請求項14に記載の装置。
【請求項２７】
免許不要の無線周波数帯域において動作周波数帯を共有する無線アクセス技術(RAT)間の干渉を軽減するための通信のための装置であって、
第1のRATと関連付けられている来たるべき信号送信を特定するための手段であって、前記信号送信が送信期間の間の前記共有された動作周波数帯における送信のためにスケジューリングされる、手段と、
保護ステータスに関して前記信号送信を分類するための手段であって、前記分類するための手段が保護される送信の集合に対応する前記信号送信に含まれる情報のタイプに基づいて前記信号送信を分類する、手段と、
前記保護ステータスに基づいて、前記送信期間の少なくとも一部分のために前記共有された動作周波数帯の少なくとも一部分を確保するために、第2のRATと関連付けられているチャンネル確保メッセージを前記共有された動作周波数帯を通じて送信するための手段とを備える、装置。
【請求項２８】
プロセッサによって実行されると、前記プロセッサに、免許不要の無線周波数帯域において動作周波数帯を共有する無線アクセス技術(RAT)間の干渉を軽減するための動作を実行させる命令を備える、コンピュータ可読記憶媒体であって、
第1のRATと関連付けられている来たるべき信号送信を特定するための命令であって、前記信号送信が送信期間の間の前記共有された動作周波数帯における送信のためにスケジューリングされる、命令と、
保護ステータスに関して前記信号送信を分類するための命令であって、前記分類するための命令が保護される送信の集合に対応する前記信号送信に含まれる情報のタイプに基づいて前記信号送信を分類する、命令と、
前記保護ステータスに基づいて、前記送信期間の少なくとも一部分のために前記共有された動作周波数帯の少なくとも一部分を確保するために、第2のRATと関連付けられているチャンネル確保メッセージを前記共有された動作周波数帯を通じて送信するための命令とを備える、コンピュータ可読記憶媒体。
【発明の詳細な説明】
【技術分野】
【０００１】
関連出願の相互参照
本特許出願は、本出願の譲受人に譲渡され、参照によりその全体が本明細書に明確に組み込まれている、2013年9月4日に出願された、「METHODS FOR ROBUST LTE OPERATIONS IN UNLICENSED CHANNELS」という名称の米国仮出願第61/873,599号の利益を主張する。
【０００２】
同時係属の特許出願の参照
本特許出願はまた、本発明と同時に出願され、本出願の譲受人に譲渡され、参照によりその全体が本明細書に明確に組み込まれている、代理人整理番号QC132771U2を有する「ROBUST INTER-RADIO ACCESS TECHNOLOGY OPERATIONS IN UNLICENSED SPECTRUM」という、同時係属の米国特許出願に関する。
【０００３】
本開示の態様は一般に電気通信に関し、より詳細には、無線アクセス技術(RAT)の共存などに関する。
【背景技術】
【０００４】
音声、データ、マルチメディアなどのような様々なタイプの通信コンテンツを提供するために、ワイヤレス通信システムが広く展開されている。典型的なワイヤレス通信システムは、利用可能なシステムリソース(たとえば、帯域幅、送信出力など)を共有することによって、複数のユーザとの通信をサポートすることが可能な多元接続システムである。そのような多元接続システムの例は、符号分割多元接続(CDMA)システム、時分割多元接続(TDMA)システム、周波数分割多元接続(FDMA)システム、直交周波数分割多元接続(OFDMA)システム、および他のものを含む。これらのシステムは、第3世代パートナーシッププロジェクト(3GPP)、3GPP Long Term Evolution(LTE)、Ultra Mobile Broadband(UMB)、Evolution Data Optimized(EV-DO)、Institute of Electrical and Electronics Engineers(IEEE)などのような仕様に適合して展開されることが多い。
【０００５】
セルラーネットワークにおいて、「マクロセル」基地局は、ある地理的領域にわたって多数のユーザに接続およびカバレッジを提供する。その地理的領域にわたって良好なカバレッジを提供するように、マクロネットワークの展開が慎重に計画され、設計され、実施されている。しかしながら、そのような慎重な計画でも、特に屋内環境におけるフェージング、マルチパス、シャドーイングのようなチャンネル特性に十分に対処することができない。したがって、屋内のユーザは、カバレッジ問題(たとえば、呼停止または品質劣化)に直面することが多く、これは悪いユーザ体験をもたらす。
【０００６】
住宅およびオフィスビルのような、屋内のカバレッジまたは他の特定の地理的なカバレッジを改善するために、最近では、通常は低出力の基地局である追加の「スモールセル」が、従来のマクロネットワークを補助するために展開され始めている。スモールセル基地局は、さらなる容量の増大、より豊かなユーザ体験なども提供することができる。
【０００７】
最近では、スモールセルLTE動作は、たとえば、ワイヤレスローカルエリアネットワーク(WLAN)技術によって使用されるUnlicensed National Information Infrastructure(U-NII)帯域のような、免許不要周波数帯へと拡張されている。スモールセルLTE動作のこの拡張は、LTEシステムのスペクトル効率を、したがって容量を向上させるように設計される。しかしながら、これは、通常は同じ免許不要帯域を利用する他のRAT、特に「Wi-Fi」と一般に呼ばれるIEEE 802.11x WLAN技術の動作にも影響を与え得る。
【発明の概要】
【発明が解決しようとする課題】
【０００８】
そのような共存環境のための干渉の管理に対する1つの手法は、Wi-Fiデバイスからの/への干渉のないスモールセルLTE動作のために「クリーン」チャンネルを選択することである。しかしながら、クリーンチャンネルは常に利用可能であるとは限らない。したがって、ますます混雑するようになっている免許不要周波数帯において動作する様々なデバイスのための、改善された共存技法に対する必要性が残されている。
【課題を解決するための手段】
【０００９】
免許不要周波数帯における共存のためのシステムおよび方法が開示される。
【００１０】
免許不要の無線周波数帯域において動作周波数帯を共有する無線アクセス技術(RAT)間の干渉を軽減するための、通信の方法が開示される。この方法は、たとえば、第1のRATと関連付けられている来たるべき信号送信を特定するステップであって、信号送信が送信期間の間の共有動作周波数帯での送信のためにスケジューリングされる、ステップと、保護ステータスに関して信号送信を分類するステップと、保護ステータスに基づいて、送信期間の少なくとも一部分のために共有動作周波数帯の少なくとも一部分を確保するために、第2のRATと関連付けられているチャンネル確保メッセージを送信するステップとを備え得る。
【００１１】
免許不要の無線周波数帯域において動作周波数帯を共有するRAT間の干渉を軽減するための、通信のための装置も開示される。装置は、たとえば、プロセッサおよび送受信機を備え得る。プロセッサは、第1のRATと関連付けられている来たるべき信号送信を特定することであって、信号送信が送信期間の間の共有動作周波数帯での送信のためにスケジューリングされる、特定することと、保護ステータスに関して信号送信を分類することとを行うように構成され得る。送受信機は、保護ステータスに基づいて、送信期間の少なくとも一部分のために共有動作周波数帯の少なくとも一部分を確保するために、第2のRATと関連付けられているチャンネル確保メッセージを送信するように構成され得る。
【００１２】
免許不要の無線周波数帯域において動作周波数帯を共有するRAT間の干渉を軽減するための、通信のための別の装置も開示される。この装置は、たとえば、第1のRATと関連付けられている来たるべき信号送信を特定するための手段であって、信号送信が送信期間の間の共有動作周波数帯での送信のためにスケジューリングされる、手段と、保護ステータスに関して信号送信を分類するための手段と、保護ステータスに基づいて、送信期間の少なくとも一部分のために共有動作周波数帯の少なくとも一部分を確保するために、第2のRATと関連付けられているチャンネル確保メッセージを送信するための手段とを備え得る。
【００１３】
プロセッサによって実行されると、プロセッサに、免許不要の無線周波数帯域において動作周波数帯を共有するRAT間の干渉を軽減するための動作を実行させる命令を備える、コンピュータ可読媒体も開示される。コンピュータ可読媒体は、たとえば、第1のRATと関連付けられている来たるべき信号送信を特定するための命令であって、信号送信が送信期間の間の共有動作周波数帯での送信のためにスケジューリングされる、命令と、保護ステータスに関して信号送信を分類するための命令と、保護ステータスに基づいて、送信期間の少なくとも一部分のために共有動作周波数帯の少なくとも一部分を確保するために、第2のRATと関連付けられているチャンネル確保メッセージを送信するための命令とを備え得る。
【００１４】
添付の図面は、本開示の様々な態様の説明を助けるために提示され、態様の限定ではなく、態様の例示のためのみに提供される。
【図面の簡単な説明】
【００１５】
【図１】マクロセル基地局およびスモールセル基地局を含む例示的な混合展開ワイヤレス通信システムを示す図である。
【図２】LTE通信の例示的なダウンリンクフレーム構造を示すブロック図である。
【図３】LTE通信の例示的なアップリンクフレーム構造を示すブロック図である。
【図４】免許不要周波数帯での動作のために構成された、併置された無線コンポーネント(たとえば、LTEおよびWi-Fi)を伴う、例示的なスモールセル基地局を示す図である。
【図５】免許不要周波数帯での動作および測定結果の報告のために構成された、併置された無線コンポーネントを伴う、例示的なユーザデバイスを示す図である。
【図６】免許不要周波数帯で動作する混合RATデバイスの例示的なシナリオを示す図である。
【図７】免許不要の無線周波数帯域において動作周波数帯を共有するRAT間の干渉を軽減するための通信の例示的な方法を示す流れ図である。
【図８】免許不要の無線周波数帯域において動作周波数帯を共有するRAT間の干渉を軽減するための通信の別の例示的な方法を示す流れ図である。
【図９】免許不要の無線周波数帯域において動作周波数帯を共有するRAT間の干渉を軽減するための通信の別の例示的な方法を示す流れ図である。
【図１０】免許不要の無線周波数帯域において動作する複数のユーザデバイスの間の干渉を軽減する例示的な方法を示す流れ図である。
【図１１】通信ノードにおいて採用され、本明細書で教示されるような通信をサポートするように構成され得る、コンポーネントのいくつかの例示的な態様の簡略化されたブロック図である。
【図１２】本明細書で教示されるように、通信をサポートするように構成された装置のいくつかの例示的な態様の他の簡略化されたブロック図である。
【図１３】本明細書で教示されるように、通信をサポートするように構成された装置のいくつかの例示的な態様の他の簡略化されたブロック図である。
【図１４】本明細書で教示されるように、通信をサポートするように構成された装置のいくつかの例示的な態様の他の簡略化されたブロック図である。
【図１５】本明細書で教示されるように、通信をサポートするように構成された装置のいくつかの例示的な態様の他の簡略化されたブロック図である。
【図１６】本明細書の教示および構造が組み込まれ得る例示的な通信システム環境を示す図である。
【発明を実施するための形態】
【００１６】
本開示は一般に、免許不要帯域における基地局およびユーザデバイスのロバストな動作のための技法に関する。これは、ある無線アクセス技術(RAT)(たとえば、Long Term Evolution(LTE)のようなセルラーシグナリング)に従ったある送信および受信を、免許不要帯域上の同じ動作周波数帯を共有する別の本来のRAT(たとえば、Wi-Fi)による干渉から保護することによって、達成され得る。たとえば、基地局またはユーザデバイスは、本来のRATに対して定義されているチャンネル確保メッセージを、隣接する基地局(たとえば、Wi-Fiアクセスポイント)、隣接するユーザデバイス(たとえば、Wi-Fi加入者局(STA))などに送り、通信媒体を確保し、重要なシグナリングの送信または受信の間に本来のRATが送信するのを防ぐことによって、重要な送信を保護することができる。そのようなチャンネル確保メッセージは、Clear-to-Send-to-Self(CTS2S)メッセージ、Request-to-Send(RTS)メッセージ、およびClear-to-Send(CTS)メッセージを含む。そのような保護機構は、保護されるRATと本来の干渉しているRATとの両方に関連する、現在のシグナリング条件に合うように、動的に適合され得る。
【００１７】
本開示はまた、免許不要帯域における基地局およびユーザデバイスのロバストな動作のための他の技法に関する。たとえば、いくつかの態様では、ロバストな動作は、送信出力を上げて、またはある送信のために使用されるシンボルトーンまたはOFDMシンボルの数を制御して、ユーザデバイスによる受信が成功する確率を上げるための、基地局による活動を含み得る。他の態様では、カルマンフィルタのようなフィルタが、免許不要帯域において受信される信号を改善するために使用され得る。さらに他の態様では、免許不要帯域において他のRATとともに使用するための以前から存在する(たとえば、Wi-Fi)フロントエンド回路を、送信出力範囲が異なることなどの従来の欠点を軽減するのを助けるような方式で修正するための技法が開示される。
【００１８】
本開示のより具体的な態様が以下の説明において与えられ、関連する図面は例示を目的に与えられる様々な例を対象とする。本開示の範囲から逸脱することなく、代替の態様が考案され得る。加えて、さらに関連性のある詳細を不明瞭にしないように、本開示のよく知られている態様は詳細に説明されないことがあり、または省略されることがある。
【００１９】
下で説明される情報および信号は、多種多様な異なる技術および技法のいずれかを使用して表され得ることを当業者は理解されよう。たとえば、下の説明全体を通して参照され得るデータ、命令、コマンド、情報、信号、ビット、シンボル、およびチップは、具体的な適用例、所望の設計、対応する技術などに一部応じて、電圧、電流、電磁波、磁場もしくは磁性粒子、光場もしくは光粒子、またはそれらの任意の組合せによって表され得る。
【００２０】
さらに、多くの態様が、たとえばコンピュータデバイスの要素によって実行されるべき一連の動作に関して説明される。本明細書において説明される様々な動作は、特定の回路(たとえば、特定用途向け集積回路(ASIC))によって、1つまたは複数のプロセッサによって実行されるプログラム命令によって、または両方の組合せによって実行され得ることが認識されるだろう。さらに、本明細書で説明される態様の各々に対して、任意のそのような態様の対応する形は、本明細書において、たとえば、説明される動作を実行する「ように構成された論理」として実装され得る。
【００２１】
図1は、スモールセル基地局が、マクロセル基地局とともにマクロセル基地局のカバレッジを補助するために展開される、例示的な混合展開ワイヤレス通信システムを示す。本明細書で使用される場合、スモールセルは全般に、フェムトセル、ピコセル、マイクロセルなどを含み得る、またはそうでなければそのように呼ばれ得る、低出力の基地局の分類を指す。上の背景で述べられたように、それらは、シグナリングの改善、付加的な容量の増大、より豊かなユーザ体験などを実現するために展開され得る。
【００２２】
示されるワイヤレス通信システム100は、複数のセル102に分割され多数のユーザのための通信をサポートするように構成される、多元接続システムである。セル102の各々における通信カバレッジは対応する基地局110によって提供され、基地局110はダウンリンク(DL)接続および/またはアップリンク(UL)接続を介して1つまたは複数のユーザデバイス120と対話する。一般に、DLは基地局からユーザデバイスへの通信に対応するが、ULはユーザデバイスから基地局への通信に対応する。
【００２３】
以下でより詳細に説明されるように、これらの様々なエンティティは、上で簡単に論じられた免許不要帯域の共存の技法を提供するように、または別様にサポートするように、本明細書の教示に従って様々に構成され得る。たとえば、スモールセル基地局110の1つまたは複数は免許不要帯域管理モジュール112を含み得るが、ユーザデバイス120の1つまたは複数は免許不要帯域管理モジュール122を含み得る。
【００２４】
本明細書で使用される場合、「ユーザデバイス」および「基地局」という用語は、別段述べられない限り、具体的であること、または、任意の特定の無線アクセス技術(RAT)に別様に限定されることは意図されない。一般に、そのようなユーザデバイスは、通信ネットワークを通じて通信するためにユーザによって使用される任意のワイヤレス通信デバイス(たとえば、携帯電話、ルータ、パーソナルコンピュータ、サーバなど)であってよく、代替的に、異なるRAT環境においては、アクセス端末(AT)、移動局(MS)、加入者局(STA)、ユーザ機器(UE)などと呼ばれることがある。同様に、基地局は、それが展開されるネットワークに応じて、ユーザデバイスと通信しているいくつかのRATの1つに従って動作することができ、アクセスポイント(AP)、ネットワークノード、NodeB、evolved NodeB(eNB)などと代替的に呼ばれることがある。加えて、いくつかのシステムでは、基地局はエッジノードシグナリング機能のみを提供し得るが、他のシステムでは、基地局は追加の制御および/またはネットワーク管理機能を提供し得る。
【００２５】
図1に戻ると、様々な基地局110は、例示的なマクロセル基地局110Aおよび2つの例示的なスモールセル基地局110B、110Cを含む。マクロセル基地局110Aは、マクロセルのカバレッジエリア102A内で通信カバレッジを提供するように構成され、マクロセルのカバレッジエリア102Aは、近隣の数ブロックを、または農村の環境では数平方マイルをカバーすることができる。一方、スモールセル基地局110B、110Cは、それぞれのスモールセルカバレッジエリア102B、102C内で通信カバレッジを提供するように構成され、異なるカバレッジエリアの間には様々な程度の重複が存在する。いくつかのシステムでは、各セルはさらに1つまたは複数のセクタ(図示されず)に分割され得る。
【００２６】
示された接続をより詳細に見ると、ユーザデバイス120Aは、ワイヤレスリンクを介して、マクロセル基地局110Aとメッセージの送受信を行うことができ、メッセージは様々なタイプの通信に関する情報(たとえば、音声データ、マルチメディアサービス、関連する制御シグナリングなど)を含む。ユーザデバイス120Bは同様に、別のワイヤレスリンクを介してスモールセル基地局110Bと通信することができ、ユーザデバイス120Cは同様に、別のワイヤレスリンクを介してスモールセル基地局110Cと通信することができる。加えて、いくつかの状況では、ユーザデバイス120Cはたとえば、スモールセル基地局110Cとの間で維持するワイヤレスリンクに加えて、別個のワイヤレスリンクを介して、マクロセル基地局110Aと通信することもできる。
【００２７】
図1にさらに示されるように、マクロセル基地局110Aは、有線リンクまたはワイヤレスリンクを介して、対応するワイドエリアネットワークまたは外部ネットワーク130と通信することができるが、スモールセル基地局110B、110Cも同様に、自身の有線リンクまたはワイヤレスリンクを介してネットワーク130と通信することができる。たとえば、スモールセル基地局110B、110Cは、デジタル加入者線(たとえば、非対称DSL(ADSL)、高データレートDSL(HDSL)、超高速DSL(VDSL)などを含むDSL)、IPトラフィックを搬送するTVケーブル、電力線ブロードバンド(BPL)接続、光ファイバ(OF)ケーブル、衛星リンク、または何らかの他のリンクなどを介して、インターネットプロトコル(IP)接続によってネットワーク130と通信することができる。
【００２８】
ネットワーク130は、たとえば、インターネット、イントラネット、ローカルエリアネットワーク(LAN)、またはワイドエリアネットワーク(WAN)を含む、任意のタイプの電気的に接続されたコンピュータおよび/またはデバイスのグループを備え得る。加えて、ネットワークへの接続は、たとえば、リモートモデム、イーサネット(登録商標)(IEEE 802.3)、トークンリング(IEEE 802.5)、Fiber Distributed Datalink Interface(FDDI)非同期転送モード(ATM)、ワイヤレスイーサネット(登録商標)(IEEE 802.11)、Bluetooth(登録商標)(IEEE 802.15.1)、または何らかの他の接続によるものであり得る。本明細書で使用される場合、ネットワーク130は、公衆インターネット、インターネット内のプライベートネットワーク、インターネット内のセキュアネットワーク、プライベートネットワーク、パブリックネットワーク、付加価値通信網、イントラネットなどのような、ネットワークの変形を含む。いくつかのシステムでは、ネットワーク130は仮想プライベートネットワーク(VPN)も備え得る。
【００２９】
したがって、マクロセル基地局110Aおよび/またはスモールセル基地局110B、110Cのいずれかまたは両方が、複数のデバイスまたは方法のいずれかを使用してネットワーク130に接続され得ることが理解されるだろう。これらの接続は、ネットワークの「バックボーン」または「バックホール」と呼ばれることがあり、いくつかの実装形態では、マクロセル基地局110A、スモールセル基地局110B、および/またはスモールセル基地局110Cの間の通信を管理し調整するために使用され得る。このようにして、ユーザデバイスが、マクロセルとスモールセルの両方のカバレッジを提供するような混合通信ネットワーク環境を通過するにつれて、ユーザデバイスは、ある位置ではマクロセル基地局によってサービスされることがあり、他の位置ではスモールセル基地局によってサービスされることがあり、いくつかの状況では、マクロセル基地局とスモールセル基地局の両方によってサービスされることがある。
【００３０】
ワイヤレスエアインターフェースについて、各基地局110は、それが展開されるネットワークに応じて、いくつかのRATの1つに従って動作することができる。これらのネットワークは、たとえば、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークなどを含み得る。「ネットワーク」および「システム」という用語は互換的に使用されることが多い。CDMAネットワークは、Universal Terrestrial Radio Access(UTRA)、cdma2000のようなRATを実装し得る。UTRAは、広帯域CDMA(WCDMA(登録商標))および低チップレート(LCR)を含む。cdma2000は、IS-2000規格、IS-95規格およびIS-856規格をカバーする。TDMAネットワークは、Global System for Mobile Communications(GSM(登録商標))のようなRATを実装し得る。OFDMAネットワークは、Evolved UTRA(E-UTRA)、IEEE802.11、IEEE802.16、IEEE802.20、Flash-OFDM(登録商標)などのようなRATを実装し得る。UTRA、E-UTRA、およびGSM(登録商標)は、Universal Mobile Telecommunication System(UMTS)の一部である。Long Term Evolution(LTE)は、E-UTRAを使用するUMTSのリリースである。UTRA、E-UTRA、GSM(登録商標)、UMTS、およびLTEは、「第3世代パートナーシッププロジェクト」(3GPP)という名称の組織の文書に記載されている。cdma2000は、「第3世代パートナーシッププロジェクト2」(3GPP2)という名称の組織の文書に記載されている。これらの文書は公開されている。
【００３１】
例示を目的に、LTEシグナリング方式のための例示的なダウンリンクおよびアップリンクのフレーム構造が、図2〜図3を参照して下で説明される。
【００３２】
図2は、LTE通信システムの例示的なダウンリンクフレーム構造を示すブロック図である。LTEでは、図1の基地局110は一般にeNBと呼ばれ、ユーザデバイス120は一般にUEと呼ばれる。ダウンリンクの送信タイムラインは無線フレームの単位に区分され得る。各無線フレームは、所定の持続時間(たとえば、10ミリ秒(ms))を有してよく、0〜9のインデックスをもつ10個のサブフレームに区分され得る。各サブフレームは、2つのスロットを含み得る。したがって、各無線フレームは、0〜19のインデックスをもつ20個のスロットを含み得る。各スロットは、L個のシンボル期間を含んでよく、たとえば、通常のサイクリックプレフィックスに対して7個のシンボル期間を含んでよく(図2に示されるように)、または、拡張されたサイクリックプレフィックスに対して6個のシンボル期間を含んでよい。各サブフレームにおける2L個のシンボル期間は、0〜2L-1のインデックスを割り当てられ得る。利用可能な時間周波数リソースはリソースブロックに区分され得る。各リソースブロックは、1つのスロット中のN個のサブキャリア(たとえば、12個のサブキャリア)をカバーし得る。
【００３３】
LTEでは、eNBは、そのeNB中の各セルに対して、一次同期信号(PSS)および二次同期信号(SSS)を送ることができる。PSSおよびSSSは、図2に示されるように、それぞれ、通常のサイクリックプレフィックスをもつ各無線フレームのサブフレーム0および5の各々の中のシンボル期間5および6の中で送られ得る。同期信号は、セル検出および取得のためにUEによって使用され得る。eNBは、サブフレーム0のスロット1中のシンボル期間0から3において物理ブロードキャストチャンネル(PBCH)を送ることができる。PBCHは、あるシステム情報を搬送することができる。
【００３４】
参照信号は、通常のサイクリックプレフィックスが使用されるときは各スロットの最初および5番目のシンボル期間の間に、拡張されたサイクリックプレフィックスが使用されるときは最初および4番目のシンボル期間の間に送信される。たとえば、eNBは、eNB中の各セルに対するセル固有参照信号(CRS)を、すべてのコンポーネントキャリアで送ることができる。CRSは、通常のサイクリックプレフィックスの場合には各スロットのシンボル0および4において、拡張されたサイクリックプレフィックスの場合には各スロットのシンボル0および3において送られ得る。CRSは、物理チャンネルのコヒーレント復調、タイミングおよび周波数の追跡、無線リンク監視(RLM)、参照信号受信電力(RSSP)、および参照信号受信品質(RSRQ)の測定などのために、UEによって使用され得る。
【００３５】
eNBは、図2に見られるように、各サブフレームの最初のシンボル期間において物理制御フォーマットインジケータチャンネル(PCFICH)を送ることができる。PCFICHは、制御チャンネルのために使用されるいくつか(M個)のシンボル期間を搬送することができ、ここで、Mは、1、2、または3に等しくてよく、サブフレームごとに変化してよい。Mはまた、たとえば、リソースブロックが10個未満である、小さいシステム帯域幅では4に等しくてよい。図2に示される例では、M=3である。eNBは、各サブフレームの最初のM個のシンボル期間において、物理HARQインジケータチャンネル(PHICH)および物理ダウンリンク制御チャンネル(PDCCH)を送ることができる。図2に示される例でも、PDCCHおよびPHICHは最初の3つのシンボル期間に含まれている。PHICHは、ハイブリッド自動再送要求(HARQ)をサポートするための情報を搬送することができる。PDCCHは、UEのためのリソース割振りの情報と、ダウンリンクチャンネルのための制御情報とを搬送することができる。eNBは、各サブフレームの残りのシンボル期間において物理ダウンリンク共有チャンネル(PDSCH)を送ることができる。PDSCHは、ダウンリンクでのデータ送信がスケジューリングされている、UEのためのデータを搬送することができる。LTEにおける様々な信号およびチャンネルは、「Evolved Universal Terrestrial Radio Access(E-UTRA)、Physical Channels and Modulation」という表題の3GPP TS 36.211で説明され、これは公開されている。
【００３６】
eNBは、eNBによって使用されるシステム帯域幅の中心1.08MHzにおいて、PSS、SSS、およびPBCHを送ることができる。eNBは、これらのチャンネルが送られる各シンボル期間においてシステム帯域幅全体にわたって、PCFICHおよびPHICHを送ることができる。eNBは、システム帯域幅のある部分においてUEのグループにPDCCHを送ることができる。eNBは、システム帯域幅の特定の部分において特定のUEにPDSCHを送ることができる。eNBは、ブロードキャスト方式で、すべてのUEにPSS、SSS、PBCH、PCFICHおよびPHICHを送ることができ、ユニキャスト方式で、特定のUEにPDCCHを送ることができ、ユニキャスト方式で、特定のUEにPDSCHを送ることもできる。
【００３７】
いくつかのリソース要素が、各シンボル期間において利用可能であり得る。各リソース要素は、1つのシンボル期間において1つのサブキャリアをカバーすることができ、実数または複素数の値であり得る1つの変調シンボルを送るために使用され得る。各シンボル期間において参照信号のために使用されないリソース要素は、リソース要素グループ(REG)の中に並べられ得る。各REGは、1つのシンボル期間に4つのリソース要素を含み得る。PCFICHは4個のREGを占有してよく、4個のREGは、シンボル期間0において、周波数にわたってほぼ等しく離隔され得る。PHICHは、1つまたは複数の構成可能なシンボル期間中の、周波数にわたって分散し得る3つのREGを占有し得る。たとえば、PHICHのための3つのREGは、すべてシンボル期間0に属し得るか、またはシンボル期間0、1、および2に分散され得る。PDCCHは、最初のM個のシンボル期間において、利用可能なREGから選択され得る、9、18、32、または64個のREGを占有し得る。REGのいくつかの組合せのみがPDCCHに対して許可され得る。
【００３８】
UEは、PHICHおよびPCFICHのために使用される特定のREGを知っていることがある。UEは、PDCCHのためにREGの異なる組合せを探索することができる。探索すべき組合せの数は通常、PDCCHに対して許可された組合せの数よりも少ない。eNBは、UEが検索する組合せのいずれにおいても、PDCCHをUEに送ることができる。
【００３９】
図3は、LTE通信の例示的なアップリンクフレーム構造を示すブロック図である。ULのための利用可能なリソースブロック(RBと呼ばれ得る)は、データセクションと制御セクションとに区分され得る。制御セクションは、システム帯域幅の2つの端部に形成されてよく、設定可能なサイズを有してよい。制御セクション中のリソースブロックは、制御情報の送信のためにUEに割り当てられ得る。データセクションは、制御セクションに含まれないすべてのリソースブロックを含み得る。図3の設計は、連続するサブキャリアを含むデータセクションをもたらし、このことは、データセクション中の連続するサブキャリアのすべてを単一のUEが割り当てられることを可能にし得る。
【００４０】
UEは、eNBに制御情報を送信するために、制御セクション中のリソースブロックを割り当てられ得る。UEはまた、eNBにデータを送信するために、データセクション中のリソースブロックを割り当てられ得る。UEは、制御セクション中の割り当てられたリソースブロック上の物理アップリンク制御チャンネル(PUCCH)中で制御情報を送信することができる。UEは、データセクション中の割り当てられたリソースブロック上の物理アップリンク共有チャンネル(PUSCH)中で、データのみまたはデータと制御情報の両方を送信することができる。アップリンク送信は、サブフレームの両方のスロットにわたってよく、図3に示されるように周波数にまたがってホッピングしてよい。
【００４１】
図1に戻ると、LTEのようなセルラーシステムは通常、(たとえば、米国の連邦通信委員会のような政府機関によって)そのような通信のために確保されている1つまたは複数の免許された周波数帯域に制限されている。しかしながら、特に、図1の設計におけるようなスモールセル基地局を利用するいくつかの通信システムは、ワイヤレスローカルエリアネットワーク(WLAN)技術によって使用されるUnlicensed National Information Infrastructure(U-NII)バンドのような免許不要の周波数帯域へとセルラー動作を拡張している。例示を目的に、以下の説明は、いくつかの点で、適切なときに例として免許不要帯域で動作するLTEシステムに言及することがあるが、そのような説明は他のセルラー通信技術を除外することを意図しないことを理解されたい。免許不要帯域でのLTEは、本明細書では免許不要周波数帯におけるLTE/LTE-Advancedとも呼ばれることがあり、または単に、周囲の文脈ではLTEと呼ばれることがある。上の図2〜図3を参照すると、免許不要帯域でのLTEにおけるPSS、SSS、CRS、PBCH、PUCCH、およびPUSCHは、免許不要帯域にあることを除けば、公開されている「Evolved Universal Terrestrial Radio Access(E-UTRA);Physical Channels and Modulation」という表題の3GPP TS 36.211に記述されているLTE規格におけるものと同一または実質的に同一である。
【００４２】
免許不要周波数帯は、様々な方法でセルラーシステムによって利用され得る。たとえば、いくつかのシステムでは、免許不要周波数帯はスタンドアロン構成で利用されてよく、すべてのキャリアがワイヤレス周波数帯の免許不要の部分において独占的に動作する(たとえば、LTE Standalone)。他のシステムでは、免許不要周波数帯は、ワイヤレス周波数帯の免許された部分(たとえば、LTE補助ダウンリンク(SDL))において動作するアンカー免許キャリアとともに、ワイヤレス周波数帯の免許不要の部分において動作する1つまたは複数の免許不要のキャリアを利用することによって、免許帯域の動作を補助する方式で利用され得る。いずれの場合も、異なるコンポーネントキャリアを管理するためにキャリアアグリゲーションが利用されてよく、1つのキャリアが対応するユーザのための一次的セル(Pcell)として機能し(たとえば、LTE SDLにおけるアンカー免許キャリア、またはLTE Standaloneにおける免許不要キャリアの指定された1つ)、残りのキャリアがそれぞれの二次的セル(SCell)として機能する。このようにして、PCellは、ダウンリンクキャリアとアップリンクキャリア(免許された、または免許不要の)の周波数分割複信化された(FDD)ペアを提供することができ、各SCellが望まれる通りに追加のダウンリンク容量を提供する。
【００４３】
したがって、U-NII(5GHz)帯域のような免許不要の周波数帯域へのスモールセル動作の拡張は、種々の方法で実施されてよく、LTEのようなセルラーシステムの容量を向上させることができる。しかしながら、上の背景で簡単に論じられたように、これは、通常は同じ免許不要帯域を利用する「本来の」RAT、特に「Wi-Fi」と一般に呼ばれるIEEE 802.11x WLAN技術の動作にも影響を与え得る。
【００４４】
いくつかのスモールセル基地局および/またはユーザデバイスの設計では、スモールセル基地局および/またはユーザデバイスは、セルラー無線装置と併置されたそのような本来のRAT無線装置を含み得る。
【００４５】
図4は、免許不要周波数帯での動作のために構成された、併置された無線コンポーネントを伴う、例示的なスモールセル基地局を示す図。スモールセル基地局400は、たとえば、図1に示されるスモールセル基地局110B、110Cの1つに対応し得る。この例では、スモールセル基地局400は、(たとえば、LTEプロトコルに従った)セルラーエアインターフェースに加えて、(たとえば、IEEE 802.11xプロトコルに従った)WLANエアインターフェースを提供するように構成される。例示を目的に、スモールセル基地局400は、LTE無線コンポーネント/モジュール(たとえば、送受信機)404と併置された802.11x無線コンポーネント/モジュール(たとえば、送受信機)402を含むものとして示されている。
【００４６】
本明細書で使用される場合、様々な態様によれば、併置された(たとえば、無線装置、基地局、送受信機など)という用語は、たとえば、同じ筐体の中にあるコンポーネント、同じプロセッサによってホストされるコンポーネント、互いに定められた距離内にあるコンポーネント、および/または任意の要求されるコンポーネント間通信(たとえば、メッセージング)のレイテンシ要件を満たすインターフェース(たとえば、イーサネット(登録商標)スイッチ)を介して接続されるコンポーネントの1つまたは複数を含み得る。いくつかの設計では、いくつかの利点は、基地局が本来の免許不要帯域のRATを介して対応する通信アクセスを必ずしも提供する(たとえば、Wi-Fiチップまたは同様の回路をLTEスモールセル基地局に追加する)ことなく、関心のある本来の免許不要帯域のRATの無線コンポーネントを所与のセルラースモールセル基地局に追加することによって、達成され得る。望まれる場合、低機能のWi-Fi回路がコストを減らすために採用され得る(たとえば、低レベルのスニッフィングを提供するだけであるWi-Fi受信機またはメッセージ送信を行うだけであるWi-Fi送信機)。
【００４７】
図4に戻ると、Wi-Fi無線装置402およびLTE無線装置404は、それぞれ、(たとえば、対応するキャリア周波数上で)1つまたは複数のチャンネルの監視を実行して、対応するネットワーク/近隣聴取(NL)モジュール406および408を使用して、または任意の他の適切なコンポーネントを使用して、様々な対応する動作チャンネルまたは環境の測定(たとえば、CQI、RSSI、RSRP、または他のRLMの測定)を実行することができる。
【００４８】
スモールセル基地局400は、STA 450およびUE 460としてそれぞれ示されている、Wi-Fi無線装置402およびLTE無線装置404を介して1つまたは複数のユーザデバイスと通信することができる。Wi-Fi無線装置402およびLTE無線装置404と同様に、STA 450は対応するNLモジュール452を含み、UE 460は様々な動作チャンネルまたは環境の測定を、独立に、またはWi-Fi無線装置402およびLTE無線装置404のそれぞれの指示のもとで実行するための、対応するNLモジュール462を含む。この点で、測定結果は、STA 450および/またはUE 460において保持されてよく、または、STA 450またはUE 460によって実行される事前処理を伴って、または伴わずに、Wi-Fi無線装置402およびLTE無線装置404へそれぞれ報告されてよい。
【００４９】
図4は例示を目的に単一のSTA 450および単一のUE 460を示すが、スモールセル基地局400は複数のSTAおよび/またはUEと通信し得ることが理解されるだろう。加えて、図4は、Wi-Fi無線装置402(すなわち、STA 450)を介してスモールセル基地局400と通信する1つのタイプのユーザデバイスと、LTE無線装置404(すなわち、UE 460)を介してスモールセル基地局400と通信する別のタイプのユーザデバイスとを示すが、単一のユーザデバイス(たとえば、スマートフォン)が、同時に、または異なるときに、Wi-Fi無線装置402とLTE無線装置404の両方を介してスモールセル基地局400と通信することが可能であり得る。
【００５０】
図4にさらに示されるように、スモールセル基地局400はネットワークインターフェース410を含んでもよく、ネットワークインターフェース410は、Wi-Fi自己組織化ネットワーク(SON)412とインターフェースするためのコンポーネントおよび/またはLTE SON 414とインターフェースするためのコンポーネントのような、対応するネットワークエンティティ(たとえば、SONノード)とインターフェースするための様々なコンポーネントを含み得る。スモールセル基地局400はまた、1つまたは複数の汎用コントローラまたはプロセッサ422と、関連するデータおよび/または命令を記憶するように構成されるメモリ424とを含み得る、ホスト420を含み得る。ホスト420は、通信のために使用される適切なRATに従って(たとえば、プロトコルスタック426および/またはLTEプロトコルスタック428を介して)、さらにはスモールセル基地局400の他の機能に従って、処理を実行することができる。具体的には、ホスト420はさらに、無線装置402および404が様々なメッセージの交換を介して互いに通信することを可能にする、RATインターフェース430(たとえば、バスなど)を含み得る。
【００５１】
図5は、免許不要周波数帯での動作および測定結果の報告のために構成された、併置された無線コンポーネントを伴う、例示的なユーザデバイスを示す。ユーザデバイス500は、たとえば、図1に示されたユーザデバイス120の1つに対応し得る。この例では、ユーザデバイス500は、UE 512として(たとえば、LTEプロトコルに従った)セルラーエアインターフェースを通じて動作することに加えて、STA 510として(たとえば、IEEE 802.11xプロトコルに従った)WLANエアインターフェースを通じて動作するように構成される。例示を目的に、ユーザデバイス500は、LTE無線コンポーネント/モジュール(たとえば、送受信機)504と併置された802.11x Wi-Fi無線コンポーネント/モジュール(たとえば、送受信機)502を含むものとして示されている。Wi-Fi無線装置502およびLTE無線装置504は、それぞれ、(たとえば、対応するキャリア周波数上で)1つまたは複数のチャンネルの監視を実行して、対応するNLモジュール506および508を使用して、または任意の他の適切なコンポーネントを使用して、様々な対応する動作チャンネルまたは環境の測定(たとえば、CQI、RSSI、RSRP、または他のRLMの測定)を実行することができる。
【００５２】
ユーザデバイス500は、(i)スモールセル基地局560によって提供されるWi-Fi無線装置502とAP 562との間のWi-Fiリンクと、(ii)スモールセル基地局560によって提供されるLTE無線装置504とeNB 564との間のLTEリンクとを介して、対応するスモールセル基地局560と通信することができる。
【００５３】
図5にさらに示されるように、ユーザデバイス500はまた、1つまたは複数の汎用コントローラまたはプロセッサ522と、関連するデータおよび/または命令を記憶するように構成されるメモリ524とを含み得る、ホスト520を含み得る。ホスト520は、通信のために使用される適切なRATに従って(たとえば、Wi-Fiプロトコルスタック526および/またはLTEプロトコルスタック528を介して)、さらにはユーザデバイス500の他の機能に従って、処理を実行することができる。具体的には、ホスト520はさらに、無線装置502および504が様々なメッセージの交換を介して互いに通信することを可能にする、RATインターフェース530(たとえば、バスなど)を含み得る。
【００５４】
Wi-Fiのような本来のRATと共有される免許不要帯域上のLTEのような、セルラーRATの使用をより容易にするための、いくつかの改善が本明細書で説明される。免許不要帯域においてLTEを使用することは、カバレッジ、容量、モビリティ、およびサービス品質(QoS)の改善を含む、Wi-Fiを上回る利点をもたらし得る。カバレッジに関しては、LTEはより大きな送信信号遅延の広がりを許容することができる。LTEは、より低い信号対干渉および雑音比(SINR)で、かつより低い物理(PHY)層のレートで動作することができる。LTEは、OFDMAと周波数選択的スケジューリングとを提供し得る。容量に関しては、LTEは、Wi-Fiにおいて利用されるキャリア検知多元接続(CSMA)と比較して、セル分割によって高い空間的な再利用率を提供することができる。LTEにおけるH-ARQは、バースト性の干渉を伴う環境においてロバスト性を提供することができる。LTEは、セル間干渉制御(ICIC)およびUL出力制御を伴う、厳しい干渉の管理を提供することができる。LTEにおける豊富なパイロット構造は、効率的なチャンネルの推定と干渉をなくすこととを可能にする。キャリアアグリゲーションによって、柔軟性および干渉ダイバーシティがより高くなり得る。モビリティおよびQoSに関しては、SON技法が、超高密度の非計画的なネットワーク展開に対して、優れたモビリティおよびQoSを提供することができる。他のセルラーRATが、Wi-Fiおよび他の本来のRATを上回る、同様の利点を提供し得る。
【００５５】
図6は、免許不要周波数帯で動作する混合RATデバイスの例示的なシナリオを示し、共存における課題のいくつかを強調したものである。示されるように、隠れたノードの問題が課題となり得る。たとえば、UE 602から隠れている免許不要帯域で動作するデバイス(たとえば、AP 604BまたはSTA 606のようなWi-Fiデバイス)が、UE 602(たとえば、UL上の)と干渉し得る。同様の干渉がDL上で存在することがあり、データだけではなく制御および取得のシグナリングにも影響を与える。
【００５６】
そのような干渉のシナリオをなくすために、本開示の態様によれば、免許不要帯域におけるユーザデバイスのロバストな動作のための方法および技法が提供される。たとえば、この方法および技法は、スタンドアロンモードで動作する基地局によって提供されるPCell上でのロバストな動作を規定することができ、ここでPCellは免許不要帯域中のコンポーネントキャリア(PCC)を利用する。一態様では、たとえば、併置されたLTE無線装置およびWi-Fi無線装置を有するユーザデバイス(たとえば図5に示されるユーザデバイス500)が、Clear-to-Send-to-Self(CTS2S)または他のチャンネル確保メッセージ(たとえば、Request-to-Send(RTS)またはClear-to-Send(CTS))を、対応するUEのLTE無線装置(たとえば、UE 512のLTE無線装置504)と関連付けられている重要なイベントの前に送るように、対応するSTAの併置されたWi-Fi無線装置(たとえば、STA 510の併置されたWi-Fi無線装置502)をトリガすることができる。そのような重要なイベントは、取得、RACH、ページングメッセージ、最後のH-ARQ送信の指示、クリアチャンネルアセスメント(CCA)、タイミング整合の指示、およびシステム情報ブロック(SIB)メッセージの取り扱いを含み得る。重要なイベントはまた、UEのモビリティおよびハンドオーバーと関連付けられているシグナリングを含み得る。CTS2Sメッセージは、隠れたノードの問題によりもたらされるフレームの競合を減らすためにIEEE 802.11ワイヤレスネットワーキングプロトコルによって使用される機構である。データを送信することを望むデバイスは、CTS2Sメッセージをブロードキャストすることができる。CTS2Sメッセージを受信する他のノードは、所与の期間、データを送信するのを控えることができる。
【００５７】
図4〜図5の併置された無線装置を参照して上で論じられたように、CTS2Sメッセージの送信を可能にするために、ユーザデバイスは、送信チェーンと受信チェーンの両方を、または送信チェーン(たとえば、メッセージ送信を提供するだけであるWi-Fi送信機)のみを含み得る。送信チェーンしか含まないことで、コストが下がり、デバイスにおけるバッテリーの消費が最小限になり得る。CTS2Sのトリガは、干渉の測定結果に基づいてよく、またはネットワークの命令に基づいてよい。たとえば、ユーザデバイスは、干渉が比較的大きい、またはあらかじめ定められた閾値を上回る場合に、CTS2Sメッセージをトリガすることができ、または、ネットワークは(たとえば、基地局を介して)、ある重要なメッセージの前にCTS2Sメッセージを送るようにユーザデバイスに指示することができる。しかしながら、CTS2Sメッセージの送信は、重要なメッセージに限定されないことがあり、CTS2Sが必要であるとユーザデバイスが判定したときにいつでも使用されてよい。
【００５８】
ユーザデバイスは、CTS2Sメッセージの送信のために、ユーザ、ネットワーク、または基地局によって構成され得る。一例では、ユーザデバイスは、CTS2Sメッセージの送信のためにユーザデバイスを構成するために、基地局からパラメータを受信することができる。このパラメータは、CTS2Sメッセージを送るための期間、ユーザデバイスがどのイベントを保護すべきか(たとえば、優先度の高いイベント)、および、CTS2S送信によりチャンネル媒体を汚染するのを避けるためのCTS2Sメッセージを送信する頻度の、1つまたは複数を含み得る。やはり、構成され得るイベントは、重要度の高い、または優先度の高いイベントであり得る。
【００５９】
ユーザデバイスは、併置されたWi-Fi無線装置STAの測定結果、以前のシステム取得の成功、および/または他の履歴データに基づいて、干渉を決定することができる。CTS2Sのトリガは、静的であってよく、または(たとえば、Wi-Fi干渉の測定結果に基づいて)動作に対して動的に適合されてよい。さらに、CTS2Sのトリガは、干渉を引き起こしていない可能性のある既存のWi-Fiデバイスおよびチャンネルに過度に影響を与えるのを避けるために、チャンネルのサブセットに限られ得る。ユーザデバイスにおけるCTS2Sのトリガは、基地局からの命令/構成に基づき得る。たとえば、基地局は、測定結果および統計をとり、CTS2Sメッセージをトリガするかどうかについてユーザデバイスに知らせることができる。eNBは、システム情報およびブロードキャストメッセージ(たとえば、SIBメッセージ)にそのような命令を含めることができる。
【００６０】
図7は、免許不要の無線周波数帯域において動作周波数帯を共有するRAT間の干渉を軽減するための通信の例示的な方法を示す流れ図である。方法700は、たとえば、基地局(たとえば、図1に示されるスモールセル基地局110C)によって、ユーザデバイス(たとえば、図1に示されるユーザデバイス120C)によって、または異なるレベルもしくは相互作用を伴うそれらの組合せによって実行され得る。
【００６１】
上の技法および説明によれば、スモールセル基地局またはユーザデバイスは、ある送信期間における共有動作周波数帯での送信のためにスケジューリングされた第1のRAT(たとえば、LTE)と関連付けられている、いくつかの来たるべき信号送信を特定することができる(ブロック710)。スモールセル基地局またはユーザデバイスは次いで、保護ステータスに関して信号送信を分類することができる(ブロック720)。この分類は、保護される送信の集合に対応する、信号送信に含まれる情報のタイプに基づき得る。上でより詳細に論じられたように、そのような保護される送信の集合は、たとえば、取得信号、RACH信号、最後のHARQ送信、CCA、ページングメッセージ、時間整合の指示、SIBを含むブロードキャスト信号、モビリティおよびハンドオーバーの指示などを含み得る。このようにして、スモールセル基地局またはユーザデバイスは、免許不要帯域を共有する他のRAT(たとえば、Wi-Fi)による干渉からの保護のために、いくつかの重要な送信を選択することができる。すべてのシグナリングを保護することは非現実的であり、または有害ですらあり得るが、いくつかの信号の集合の保護は有益であり、両方のRATの適切な動作を確実にするのを助け得る。
【００６２】
図7に戻ると、保護ステータスに基づいて、スモールセル基地局またはユーザデバイスは、送信期間の少なくとも一部分のために共有動作周波数帯の少なくとも一部分を確保するために、第2のRAT(たとえば、Wi-Fi)と関連付けられているチャンネル確保メッセージを送信することができる(ブロック730)。この送信は、第2のRATに従って動作する対応する(第2の)送受信機を介して実行され得る。第2の送受信機は、特定された信号送信を送信または受信するために第1のRATに従って動作する、第1の送受信機と併置され得る。上でより詳細に論じられたように、この点で、第2の送受信機は、完全な機能をもった送信チェーンであってよく、または単に低機能の送信チェーンであってもよい。共有動作周波数帯を確保するために使用され得るチャンネル確保メッセージの例は、動作周波数帯を共有する本来のRATに応じて、CTS2Sメッセージを、さらには他のもの(たとえば、CTS/RTS)などを含む。第2のRATの動作を過度に妨げるのを避けるために、チャンネル確保メッセージは、免許不要帯域上の第2のRATによって定義されるチャンネルのすべてより少数のものを表すチャンネルのサブセットで(たとえば、保護されている第1のRATの動作チャンネルと周波数空間において重複する第2のRATの1つまたは複数のチャンネルのみで)送信され得る。
【００６３】
いくつかの設計では、重要な信号を保護するためにチャンネル確保メッセージを使用することは、本来の(第2の)RATによる共有動作周波数帯の利用率に基づいて動的に適合され得る(任意選択ブロック740)。たとえば、スモールセル基地局またはユーザデバイスは、共有動作周波数帯上で、第2のRATと関連付けられているシグナリングを追加で監視することができる。この監視は、適宜、連続的に、周期的に、またはイベントドリブンで実行され得る。他のRAT測定結果は、スモールセル基地局またはユーザデバイスにおいて、固有の測定を通じて(たとえば、スモールセル基地局400の併置されたWi-Fi無線装置402またはSTA 510を有するユーザデバイス500の併置されたWi-Fi無線装置502のような併置されたWi-Fi無線装置を介して)、またはそれら2つの間でのメッセージ交換を介して(たとえば、様々なフィードバックシグナリングを介して)取得され得る。監視されるシグナリングに基づいて、スモールセル基地局またはユーザデバイスは、第2のRATに対する利用率の尺度を決定し、利用率の尺度に基づいてチャンネル確保メッセージの送信を適合させることができる。したがって、干渉が比較的少ない状況では、スモールセル基地局は、チャンネルを確保すること自体を控え、これによって他のRATの動作を不必要に妨害するのを避けることが可能であり得る。
【００６４】
加えて、適合させることはさらに、それ自体が保護されている信号に基づき得る。たとえば、適合させることはさらに、第1のRATと関連付けられている来たるべき信号送信の1つまたは複数の予想される特性または過去の特性に基づき得る。そのような予想される特性または過去の特性の例は、来たるべき信号送信を受信するための予想されるチャンネルの品質、受信機の近接、以前の信号の受信と関連付けられている成功または失敗の履歴、システム取得の履歴、送信期間の頻度などを含む。このようにして、たとえば、弱い可能性のある、または失敗の履歴を有し得る信号を保護するために、追加の保護が提供され得る。
【００６５】
上で論じられたように、方法700は、基地局(たとえば、図1に示されるスモールセル基地局110C)によって、ユーザデバイス(たとえば、図1に示されるユーザデバイス120C)によって、または異なるレベルもしくは相互作用を伴うそれらの組合せによって実行され得る。したがって、一例では、特定するステップ(ブロック710)、分類するステップ(ブロック720)、および送信するステップ(ブロック730)は、ユーザデバイスによって実行され得る。この場合、特定するステップは、たとえば、ユーザデバイスにおいて、基地局によって送信されたシステム情報を監視するステップを含んでよく、分類するステップは、システム情報に基づいて保護ステータスを決定するステップを含む。保護ステータスは、(たとえば、いくつかの信号を保護するようにユーザデバイスに指示するメッセージを介して)基地局からのシステム情報によって直接示されてよく、または、(たとえば、送信パターンを特定する、または干渉情報を搬送するメッセージを介して)基地局からのシステム情報からユーザデバイスによって間接的に推測されてよい。別の例では、特定するステップ(ブロック710)、分類するステップ(ブロック720)、および送信するステップ(ブロック730)は、基地局によって実行され得る。この場合、特定するステップは、たとえば、基地局において、来たるべきシグナリングに関するスケジューラ情報を問い合せるステップを含んでよく、分類するステップは、スケジューラ情報に基づいて保護ステータスを決定するステップを含む。
【００６６】
図6に戻ると、干渉は特に、(たとえば、同期のために使用されるPSSおよびSSSに影響を与えることによって)ユーザデバイス602と基地局604Aとの間の協調および同期に影響を与え得る。それに応答して、基地局604Aは、ナローバンド信号(たとえば、PSSまたはSSSを含む)を送信するための出力を上げるように構成され得る。(たとえば、カルマンフィルタリングなどを介して)信号を平均化することも役に立ち得る。干渉は、PDCCHの性能にも影響を与え得る。それに応答して、基地局604Aは、影響が減り得るように、キャリアをまたがったスケジューリングを利用してPCC上で許可を送信するように構成され得る。同様に、PBCHはロバスト性のためにPCC上で送信され得る。干渉は、PDSCHの性能にも影響を与え得る。干渉は、様々な測定(たとえば、ユーザデバイス602によって行われるもの)にも影響を与え得る。たとえば、参照信号受信電力(RSRP)または参照信号受信品質(RSRQ)が、悪化することがあり、かつ/またはWi-Fi干渉を正しく反映しないことがある。セル固有参照信号(CRS)がすべてのWi-Fi干渉を捕捉するというわけではない可能性があることを考慮すると、チャンネル品質インジケータ(CQI)の不一致も生じ得る。
【００６７】
より詳しくは、基地局は、ナローバンドシグナリングの送信出力を上げることがある。たとえば、PSS/SSS/PBCH信号が基地局(たとえば、LTE eNB)によってブーストされ得る。信号のブーストは、既存のユーザデバイスのCQIパターン、ネットワーク聴取モジュール(NLM)の測定結果、無線リンク障害(RLF)の統計、関連するユーザデバイスのPDSCH/PDCCHパケットエラーレート(PER)、および他の過去のまたは統計的な測定結果に基づいて、適合され得る。
【００６８】
加えて、または代替形態として、いくつかのシグナリング(たとえば、PDCCH)のために使用されるOFDMシンボルの数は、同様の測定結果に基づいて制御され得る。たとえば、さらなる冗長性を、したがって復号の機会を追加して、そのようなシグナリングのロバスト性を上げるために、OFDMシンボルの数が増やされ得る。
【００６９】
たとえば狭い許容された帯域幅も有し得るPDSCHは、(パワースペクトル密度(PSD)の制約のもとで)大きなWi-Fi干渉を受けるUEに対して出力が上げられ得る。CQI統計およびPERに基づいてターミネーションターゲットおよびCQIからMCS(変調およびコーディング方式)へのマッピングを適合させることによって、レート制御が同様に実現され得る。
【００７０】
PUSCHでは、PCCチャンネル選択は、ナローバンドの割当てに加えて、Wi-Fi干渉の影響を減らすのに十分であり得る少量の予備のチャンネルから行われ得る。
【００７１】
取得の間、PSSおよびSSSの選択は、送信出力を上げることによって改善され得る。PSSおよびSSSは、ナローバンド(たとえば、1MHz)の信号であり得るので、基地局は、PSD放出限界(たとえば、ハイバンドでは17dBm/MHz)まで送信出力を上げることができる。PSSおよびSSSはまた、NLM、アクティブユーザデバイスのCQIパターン、RLF統計などに基づいて適合され得る。たとえば、これらの統計の組合せが比較的大きな干渉を示す場合、または1つまたは複数の統計があらかじめ定められた閾値より大きい場合、送信出力は上げられ得る。複数の送信出力レベルにわたる不必要なシステムの振動を防ぐために、送信出力を上げるとき、または下げるときを決定するための設計に、ヒステリシスが追加され得る。雑音出力が1つまたは複数のサンプルに対して推定されてよく、次いで、この処理は、累積する前に雑音出力によって各々の半フレームを平準化することができる(これはカルマン様関数であり得る)。上でより詳細に論じられたように、ユーザデバイスが接続のセットアップを開始する前に、併置されたSTA(たとえば、併置されたSTA 510およびWi-Fi無線装置502)は、CTS2Sのシーケンスを選択的に送信して、近くのWi-Fi送信を停止することができる。低雑音増幅器(LNA)が、複数の取得の試みにわたる測定に基づいて適合され得る。取得が開始する前にLNA利得を適切に設定するために、Wi-Fi干渉およびデューティ比の測定が行われ得る。
【００７２】
さらに、PBCHは、ナローバンド(たとえば、1MHz)のチャンネルであり得るので、基地局は、PSD放出限界(たとえば、ハイバンドでは17dBm/MHz)まで送信出力を上げることができる。出力のブーストは、既存のユーザデバイスのCQIパターン、NLの測定結果、RLF統計、関連するユーザデバイスのPDSCH/PDCCH PERなどに基づいて適合され得る。送信時間間隔(TTI)は、時間ダイバーシティを提供するために構成され得る。たとえば、40msのTTI(4個のバースト)が時間ダイバーシティを提供することができる。破損したPBCHバーストを使用するのを避けるためのソフトコンバイニングにおいて、各バーストにおける逆雑音推定が使用され得る。
【００７３】
開示される方法および技法を通じて、制御チャンネルが改善され得る。DLの制御のために、基地局は、測定結果に基づいて使用される、チャンネル送信出力およびOFDMシンボルの数を制御するように構成され得る。この制御は、PCC上のCQIパターン、測定結果の報告、RLF統計、NLの測定結果などに基づいて適合され得る。PUCCHは、ナローバンド信号でありチャンネルの端にあり得るので、PUCCHはWi-Fi送信からの重大な干渉を受けないことがある。PUCCHの出力制御は、近くのWi-Fiデバイスからの干渉による、基地局における干渉対熱雑音比(IoT)の上昇を考慮し得る。PUCCHの閉ループ出力制御は、基地局のNLの測定結果、PUCCH PERなどに基づいて、追加のバイアスを提供することができる。
【００７４】
データチャンネルに対して、PDSCHは次のように調整され得る。ユーザデバイスのための狭い帯域幅の割振りおよび出力のブーストが、大きなWi-Fi干渉を受けるユーザデバイスに対して行われ得る。PCCが影響を受ける場合、PDSCHはSCC上でスケジューリングされ得る。レート制御のために、ターミネーションターゲットおよびCQIからMCSへのマッピングは、CQI統計およびPERに基づいて適合され得る。例として、近くにジャマーが存在する場合、CQIパターンは二峰性の特性(良いCQIと悪いCQI)を示すことがあり、干渉のデューティ比は悪いCQIの頻度から推測され得る。良いCQI、悪いCQI、および干渉のデューティ比に基づいて、次に受信されるCQIのレートループフィルタリングが変更され得る。
【００７５】
PUSCHに対して、PCCチャンネル選択は、ナローバンドの割当てに加えて少量の予備のチャンネルから行われてよく、これはWi-Fi干渉の影響を減らすのに十分であり得る。
【００７６】
RACHに対して、パラメータは出力を上げるために適合され得る。たとえば、パラメータmax_transmission_counterおよびpower_ramp_stepは、(たとえば、Wi-Fiの)干渉に基づいて適合され得る。基地局は、基地局において測定されるNLおよびWi-Fiの干渉に基づいて、出力オフセットおよび出力ランピングを構成することができる。ナローバンドのPRACH送信は、さらなる処理の利益をもたらし得る。適合パラメータは、以前の値と同様に、かつチャンネル品質の尺度に基づいて作られ得る。メッセージ3のH-ARQ送信の最大の数が、NLの測定結果に基づいて設定され得る。ユーザデバイスは、RACH手順の開始の前にCTS2Sメッセージを選択的に送信し、RACH手順を保護することができる。
【００７７】
アイドルモードのユーザに対して、ユーザデバイスは、ページング時間を保護するために、所与のページに対してはより早く起動し、CTS2Sフレームを送信するように構成され得る。
【００７８】
図8は、免許不要の無線周波数帯域において動作周波数帯を共有するRAT間の干渉を軽減するための通信の別の例示的な方法を示す流れ図である。方法800は、たとえば基地局(たとえば、図1に示されるスモールセル基地局110C)によって実行され得る。
【００７９】
上の技法および説明によれば、スモールセル基地局は、免許不要帯域での基地局のナローバンドシグナリングと関連付けられている、RAT間の干渉の尺度を決定することができる(ブロック810)。この決定は、適宜、連続的に、周期的に、またはイベントドリブンで実行され得る。RAT間の干渉の尺度は、第2のRAT(たとえば、Wi-Fi)の共有周波数帯での動作により第1のRAT(たとえば、LTE)が免許不要帯域上で経験する干渉を特徴付けるために使用され得る。
【００８０】
したがって、RAT間の干渉の尺度は、第1のRATシグナリングの測定を介した間接的な方法と、(たとえば、1つまたは複数の併置された送受信機を介した)第2のRATシグナリングの測定を介した直接的な方法の両方を含む、様々な方法で決定され得る。たとえば、上で論じられたように、RAT間の干渉の尺度は、スモールセル基地局によって提供されているナローバンドシグナリング(たとえば、LTEスモールセル基地局によって提供されるLTEシグナリング)と関連付けられているRATに従った送信のための、CQI統計、RLF統計、またはPER統計に関する測定結果から決定され得る。別の例として、RAT間の干渉の尺度は、ナローバンドシグナリングと関連付けられているもの以外の、RATに従った送信に関する測定結果(たとえば、近くのWi-Fiデバイスの活動の測定結果)から決定され得る。他のRAT測定結果は、(たとえば、スモールセル基地局400の併置されたWi-Fi無線装置402のような併置されたWi-Fi無線装置を介した)固有の測定を通じて、または、少なくとも1つの関連付けられているユーザデバイス(たとえば、様々なシグナリングの測定結果をスモールセル基地局560にフィードバックし得る、STA 510および併置されたWi-Fi無線装置502を有するユーザデバイス500のようなユーザデバイス)から受信される測定結果を通じて、スモールセル基地局において取得され得る。
【００８１】
図8に戻ると、決定されたRAT間の干渉の尺度に基づいて、スモールセル基地局は、ナローバンドシグナリングのための送信出力またはシグナリング方式に関する送信パラメータを修正することができる(ブロック820)。たとえば、スモールセル基地局は、高いレベルの干渉(たとえば、閾値を超える)を示すRAT間の干渉の尺度に基づいて、送信出力を上げることができる。加えて、または代替形態として、スモールセル基地局は、高いレベルの干渉(たとえば、閾値を超える)を示すRAT間の干渉の尺度に基づいて、(たとえば、より多くのOFDMフレームを利用することによって)シグナリング方式の冗長性を上げることができる。いずれの場合も、送信出力および/またはシグナリングの冗長性を上げることが、ナローバンドシグナリングを干渉から守り、ロバスト性、または関連するユーザデバイスへの送信の成功の確率を上げることの助けになり得る。
【００８２】
スモールセル基地局は次いで、修正された送信パラメータに従って、免許不要帯域上で1つまたは複数の後続のナローバンド信号を送信し続けることができる(ブロック830)。上でより詳細に論じられたように、このように免許不要帯域での動作に適合され得るナローバンドシグナリングは、様々な取得チャンネル、制御チャンネル、およびデータチャンネルを含む。送信パラメータの適合は、免許不要帯域上でスタンドアロンモードで動作するときに(すなわち、対応するPCCが免許不要帯域中にあり、したがってRAT間の干渉を受ける場合に)スモールセル基地局によって提供されるPCellの動作と関連付けられている信号のような、より重要なシグナリングに対しては特に有用である。ある例として、保護されているナローバンド信号は、PSS、SSS、PBCHなどに対応する取得信号を備え得る。別の例として、ナローバンド信号は、PDCCH、PUCCH、PRACHなどに対応する制御信号を備え得る。別の例として、ナローバンド信号は、PDSCH、PUSCHなどに対応するデータ信号を備え得る。
【００８３】
図6に戻ると、別の態様では、カルマンフィルタが、免許不要帯域において受信される信号を改善するために使用され得る。線形2次推定フィルタとしても知られるカルマンフィルタは、経時的に受信された一連の信号を使用して、信号のより正確な推定物を生成することができる。免許不要帯域上では、改善された信号を生成するために干渉が平均化されなくてもよい。たとえば、免許不要帯域上の4つの受信された信号のグループにおいて、それらの信号のうちの2つは破損していることがあるので、値を平均することは適切な信号を生まないことがある。この場合、カルマンフィルタを使用するのが有益であり得る。カルマンタイプのフィルタは、時間にまたがって同じ信号を組み合わせると、破損した受信された信号を使用するのを避けることができる。
【００８４】
図9は、免許不要の無線周波数帯域において動作周波数帯を共有するRAT間の干渉を軽減するための通信の別の例示的な方法を示す流れ図である。方法900は、たとえば、基地局(たとえば、図1に示されるスモールセル基地局110C)によって、ユーザデバイス(たとえば、図1に示されるユーザデバイス120C)によって、または異なるレベルもしくは相互作用を伴うそれらの組合せによって実行され得る。
【００８５】
上の技法および説明によれば、スモールセル基地局またはユーザデバイスは、第2のRAT(たとえば、Wi-Fi)からの干渉を受けている第1のRAT(たとえば、LTE)を介して、免許不要帯域上で同じ内容を有する複数の信号を受信することができる(ブロック910)。複数の信号は、ある時間間隔にわたって受信され得る。複数の信号の内容を復元するために、スモールセル基地局またはユーザデバイスは、その時間間隔にわたって免許不要帯域上の複数の信号を(たとえば、カルマンフィルタリングを使用して)フィルタリングすることができる(ブロック920)。フィルタリングするステップは、たとえば、複数の信号のうちの破損していない信号と比較して、複数の信号のうちの破損した信号に、より低い係数を重み付けるステップを含み得る。
【００８６】
再び図6に戻ると、さらに別の態様では、PUCCHの部分的周波数再利用(FFR)が利点をもたらし得る。FFRのシナリオでは、セルは、内側領域(セルの中心のユーザデバイスにサービスする)および外側領域(セルの端のユーザデバイスにサービスする)のような2つ以上の領域へと分割され得る。シンボルトーンのセットと関連付けられている異なる周波数帯域および/またはリソースブロックが、各領域に割り振られ得る。複数のリソースブロックの割振りが使用されてよく、いくつかのリソースブロックはセルの端のユーザデバイス向けであってよく、他のリソースブロックの割振りはセルの中心のユーザデバイス向けであってよい。たとえば、これは、Wi-Fi RF集積回路(IC)に固有であり得る、ユーザデバイスの送信出力のダイナミックレンジの圧縮を補償するために使用され得る。PUCCHにおけるFFRは、共有されるWi-Fi RFICが原因でユーザデバイスにおいて送信チェーンでのダイナミックレンジが低い場合に、基地局とのユーザデバイスとの間の送信を改善することができる。
【００８７】
したがって、シンボルトーンのそれぞれのセットと関連付けられている異なる周波数帯域および/またはリソースブロックを、送信出力のダイナミックレンジの圧縮から異なるように影響を受ける、異なる領域中のユーザデバイスに割り振ることによって、Wi-Fi RFのフロントエンドは、送信出力のダイナミックレンジの圧縮の固有の制約により引き起こされる典型的な干渉が回避され得るという点で、免許不要帯域での他のRAT(たとえば、LTE)通信のためにより効果的に利用され得る。具体的には、(より低い送信出力で動作することが、持続可能であり得るとしても防がれている)セルの中心のユーザの比較的高いUL送信出力が、セルの端のユーザの比較的低いUL送信出力から分離されることが可能であり、そうされなければ、セルの端のユーザは基地局の受信機においてかき消される。免許不要帯域での動作において使用するために、LTEデバイスのWi-Fi RF回路を再利用することは、生じ得る欠点を軽減するための上の技法に鑑みると特に、新しいLTE固有のハードウェアを製作することよりも、免許不要帯域での動作に対する費用対効果の高い手法となり得る。
【００８８】
図10は、免許不要の無線周波数帯域において動作する複数のユーザデバイスの間の干渉を軽減する例示的な方法を示す流れ図である。方法1000は、たとえば基地局(たとえば、図1に示されるスモールセル基地局110C)によって実行され得る。
【００８９】
上の技法および説明によれば、スモールセル基地局は、スモールセル基地局への各ユーザデバイスの近接度が閾値よりも上であるか下であるかに基づいて、複数のユーザデバイスをユーザデバイスの第1のグループおよびユーザデバイスの第2のグループに分離することができる(ブロック1010)。上でより詳細に論じられたように、ユーザデバイスの第1のグループまたは第2のグループの一方がセルの端のユーザに対応してよく、ユーザデバイスの第1のグループと第2のグループの他方がセルの中心のユーザに対応してよい。セルの端のユーザおよびセルの中心のユーザは、免許不要帯域上でのLTE通信のためにWi-Fiフロントエンド送受信機を再利用することに固有の制約のような、送信出力の制約によって異なるように影響を受ける。
【００９０】
スモールセル基地局は次いで、(i)ユーザデバイスの第1のグループに通信リソースの第1のセットを、かつ、(ii)ユーザデバイスの第2のグループに通信リソースの第2のセットを割り振ることができる(ブロック1020)。上でさらに論じられたように、通信リソースの第1のセットおよび第2のセットは、たとえば、それぞれのシンボルトーンと関連付けられている周波数帯域またはリソースブロックを備え得る。通信リソースの第1のセットおよび第2のセットは、2つのグループ間の干渉を防ぐために重複がなくてよい。通信リソースの第1のセットおよび第2のセットに従って、スモールセル基地局は、それぞれ、ユーザデバイスの第1のグループおよび第2のグループからアップリンク通信を受信することができる(ブロック1030)。
【００９１】
間接的に、または直接的に(たとえば、そのような情報が知られているか、または別様に利用可能であるとき)、分離するステップ(ブロック1010)はさらに、各ユーザデバイスによって利用されるフロントエンド送受信機回路と関連付けられている技術のタイプに基づき得る。その技術のタイプは、スモールセル基地局が動作する本来の技術のタイプとは異なる送信出力の制約を有することがあり、これはやはり、異なるユーザデバイスに対して異なるように影響を与え、不自然な干渉の問題につながり得る。具体的には、スモールセル基地局が動作する本来の技術のタイプは、LTE技術に対応することがあり、複数のユーザデバイスの少なくとも1つは、LTE技術に従って、しかしWi-Fi技術と関連付けられているフロントエンド送受信機回路を介して動作することがある。
【００９２】
図11は、本明細書で教示されるように、共存動作をサポートするために、装置1102、装置1104、および装置1106(たとえば、それぞれ、ユーザデバイス、基地局、およびネットワークエンティティに対応する)に組み込まれ得る(対応するブロックによって表される)いくつかの例示的なコンポーネントを示す。これらのコンポーネントは、様々な実装形態(たとえば、ASIC、SoCなど)における様々なタイプの装置に実装され得ることを理解されたい。示されるコンポーネントは、通信システム中の他の装置にも組み込まれ得る。たとえば、システム中の他の装置は、同様の機能を提供するために説明されるコンポーネントと同様のコンポーネントを含み得る。また、所与の装置は、コンポーネントの1つまたは複数を含み得る。たとえば、装置が複数のキャリア上で動作し、かつ/または様々な技術を介して通信することを可能にする、複数の送受信機コンポーネントを、装置は含み得る。
【００９３】
装置1102および装置1104は各々、少なくとも1つの指定されたRATを介して他のノードと通信するための(通信デバイス1108および1114(および装置1104がリレーである場合は通信デバイス1120)によって表される)少なくとも1つのワイヤレス通信デバイスを含む。各通信デバイス1108は、信号(たとえば、メッセージ、表示、情報など)を送信し符号化するための(送信機1110によって表される)少なくとも1つの送信機と、信号(たとえば、メッセージ、表示、情報、パイロットなど)を受信し復号するための(受信機1112によって表される)少なくとも1つの受信機とを含む。同様に、各通信デバイス1114は、信号(たとえば、メッセージ、指示、情報、パイロットなど)を送信するための(送信機1116によって表される)少なくとも1つの送信機と、信号(たとえば、メッセージ、指示、情報など)を受信するための(受信機1118によって表される)少なくとも1つの受信機とを含む。装置1104が中継局である場合、各通信デバイス1120は、信号(たとえば、メッセージ、指示、情報、パイロットなど)を送信するための(送信機1122によって表される)少なくとも1つの送信機と、信号(たとえば、メッセージ、指示、情報など)を受信するための(受信機1124によって表される)少なくとも1つの受信機とを含み得る。
【００９４】
送信機および受信機は、いくつかの実装形態では(たとえば、単一の通信デバイスの送信機回路および受信機回路として具現化される)集積デバイスを備えてよく、またはいくつかの実装形態では、独立した送信機デバイスおよび独立した受信機デバイスを備えてよく、または他の実装形態では他の方法で具現化されてよい。装置1104のワイヤレス通信デバイス(たとえば、複数のワイヤレス通信デバイスの1つ)はまた、様々な測定を実行するためのネットワーク聴取モジュール(NLM)などを備え得る。
【００９５】
装置1106(および装置1104が中継局ではない場合は装置1104)は、他のノードと通信するための(通信デバイス1126および場合によっては1120によって表される)少なくとも1つの通信デバイスを含む。たとえば、通信デバイス1126は、有線のまたはワイヤレスのバックホールを介して1つまたは複数のネットワークエンティティと通信するように構成されるネットワークインターフェースを備え得る。いくつかの態様では、通信デバイス1126は、有線のまたはワイヤレスの信号通信をサポートするように構成される送受信機として実装され得る。この通信は、たとえば、メッセージ、パラメータ、または他のタイプの情報を送信および受信するステップを伴い得る。したがって、図11の例では、通信デバイス1126は、送信機1128および受信機1130を含むものとして示される。同様に、装置1104が中継局ではない場合、通信デバイス1120は、有線のまたはワイヤレスのバックホールを介して1つまたは複数のネットワークエンティティと通信するように構成されるネットワークインターフェースを備え得る。通信デバイス1126のように、通信デバイス1120は、送信機1122および受信機1124を備えるものとして示される。
【００９６】
装置1102、1104、および1106はまた、本明細書で教示される共存動作とともに使用され得る他のコンポーネントを含む。装置1102は、たとえば、本明細書で教示される共存をサポートするためのユーザデバイスの動作に関する機能を提供し、他の処理機能を提供するための処理システム1132を含む。装置1104は、たとえば、本明細書で教示される共存をサポートするための基地局の動作に関する機能を提供し、他の処理機能を提供するための処理システム1134を含む。装置1106は、たとえば、本明細書で教示される共存をサポートするためのネットワークの動作に関する機能を提供し、他の処理機能を提供するための処理システム1136を含む。装置1102、1104、および1106は、それぞれ、情報(たとえば、予約されたリソースを示す情報、閾値、パラメータなど)を保持するためのメモリコンポーネント1138、1140、および1142(たとえば、各々がメモリデバイスを含む)を含む。加えて、装置1102、1104、および1106は、それぞれ、ユーザに指示(たとえば、可聴の、および/または視覚的な指示)を与えるための、および/または(たとえば、キーパッド、タッチスクリーン、マイクロフォンなどの感知デバイスをユーザが作動させると)ユーザ入力を受け取るための、ユーザインターフェースデバイス1144、1146、および1148を含む。
【００９７】
便宜的に、装置1102、1104、および/または1106は、本明細書で説明される様々な例に従って構成され得る様々なコンポーネントを含むものとして、図11に示される。しかしながら、示されたブロックは、異なる設計では異なる機能を有し得ることを理解されたい。
【００９８】
図11のコンポーネントは、様々な方法で実装され得る。いくつかの実装形態では、図11のコンポーネントは、たとえば1つもしくは複数のプロセッサおよび/または(1つまたは複数のプロセッサを含み得る)1つもしくは複数のASICのような、1つまたは複数の回路において実装され得る。ここで、各回路は、この機能を提供する回路によって使用される情報または実行可能コードを記憶するための少なくとも1つのメモリコンポーネントを使用し、かつ/または組み込み得る。たとえば、ブロック1108、1132、1138、および1144によって表される機能のいくつかまたはすべては、装置1102のプロセッサおよびメモリコンポーネントによって(たとえば、適切なコードの実行によって、および/またはプロセッサコンポーネントの適切な構成によって)実装され得る。同様に、ブロック1114、1120、1134、1140、および1146によって表される機能のいくつかまたはすべては、装置1104のプロセッサおよびメモリコンポーネントによって(たとえば、適切なコードの実行によって、および/またはプロセッサコンポーネントの適切な構成によって)実装され得る。また、ブロック1126、1136、1142、および1148によって表される機能のいくつかまたはすべては、装置1106のプロセッサおよびメモリコンポーネントによって(たとえば、適切なコードの実行によって、および/またはプロセッサコンポーネントの適切な構成によって)実装され得る。
【００９９】
図12は、相互に関係する一連の機能モジュールとして表された、例示的なワイヤレスデバイス装置1200を示す。特定するためのモジュール1102は、少なくともいくつかの態様では、たとえば、本明細書で論じられる処理システムに対応し得る。分類するためのモジュール1204は、少なくともいくつかの態様では、たとえば、本明細書で論じられる処理システムに対応し得る。送信するためのモジュール1206は、少なくともいくつかの態様では、たとえば、本明細書で論じられる通信デバイスに対応し得る。適合させるための任意選択のモジュール1208は、少なくともいくつかの態様では、たとえば、本明細書で論じられる処理システムに対応し得る。
【０１００】
図13は、相互に関係する一連の機能モジュールとして表された、例示的なワイヤレスデバイス装置1300を示す。決定するためのモジュール1302は、少なくともいくつかの態様では、たとえば、本明細書で論じられる処理システムに対応し得る。修正するためのモジュール1304は、少なくともいくつかの態様では、たとえば、本明細書で論じられる処理システムに対応し得る。送信するためのモジュール1306は、少なくともいくつかの態様では、たとえば、本明細書で論じられる通信デバイスに対応し得る。
【０１０１】
図14は、相互に関係する一連の機能モジュールとして表された、例示的なワイヤレスデバイス装置1400を示す。受信するためのモジュール1402は、少なくともいくつかの態様では、たとえば、本明細書で論じられる通信デバイスに対応し得る。フィルタリングするためのモジュール1404は、少なくともいくつかの態様では、たとえば、本明細書で論じられる処理システムに対応し得る。
【０１０２】
図15は、相互に関係する一連の機能モジュールとして表された、例示的なワイヤレスデバイス装置1500を示す。分離するためのモジュール1502は、少なくともいくつかの態様では、たとえば、本明細書で論じられる処理システムに対応し得る。割り振るためのモジュール1504は、少なくともいくつかの態様では、たとえば、本明細書で論じられる通信デバイスと連携した処理システムに対応し得る。受信するためのモジュール1506は、少なくともいくつかの態様では、たとえば、本明細書で論じられる通信デバイスに対応し得る。
【０１０３】
図12〜図15のモジュールの機能は、本明細書の教示と矛盾しない様々な方法で実装され得る。いくつかの設計では、これらのモジュールの機能は、1つまたは複数の電気的コンポーネントとして実装され得る。いくつかの設計では、これらのブロックの機能は、1つまたは複数のプロセッサコンポーネントを含む処理システムとして実装され得る。いくつかの設計では、これらのモジュールの機能は、たとえば、1つまたは複数の集積回路(たとえば、ASIC)の少なくとも一部分を使用して実装され得る。本明細書で論じられるように、集積回路は、プロセッサ、ソフトウェア、他の関連するコンポーネント、またはそれらの何らかの組合せを含み得る。したがって、様々なモジュールの機能は、たとえば、集積回路の様々なサブセットとして、ソフトウェアモジュールのセットの様々なサブセットとして、またはそれらの組合せとして実装され得る。また、(たとえば、集積回路の、および/またはソフトウェアモジュールのセットの)所与のサブセットが、2つ以上のモジュールの機能の少なくとも一部分を提供し得ることを理解されたい。
【０１０４】
加えて、図12〜図15によって表されたコンポーネントおよび機能、ならびに本明細書で説明された他のコンポーネントおよび機能は、任意の適切な手段を使用して実装され得る。そのような手段はまた、少なくとも部分的に、本明細書で教示される対応する構造を使用して実装され得る。たとえば、図12〜図15のコンポーネントの「ためのモジュール」とともに上で説明されたコンポーネントは、同様に指定された機能の「ための手段」にも対応し得る。したがって、いくつかの態様では、そのような手段の1つまたは複数は、プロセッサコンポーネント、集積回路、または本明細書で教示される他の適切な構造の1つまたは複数を使用して実装され得る。
【０１０５】
図16は、本明細書の共存の教示および構造が組み込まされ得る例示的な通信システム環境を示す。例示を目的にLTEネットワークとして少なくとも一部説明される、ワイヤレス通信システム1600は、いくつかのeNB 1610および他のネットワークエンティティを含む。eNB 1610の各々は、マクロセルまたはスモールセルのカバレッジエリアのような、特定の地理的エリアに対する通信カバレッジを提供する。
【０１０６】
示される例では、eNB 1610A、1610B、および1610Cは、それぞれ、マクロセル1602A、1602B、および1602CのためのマクロセルeNBである。マクロセル1602A、1602B、および1602Cは、比較的大きい地理的エリア(たとえば、半径数キロメートル)をカバーすることができ、サービスに加入しているUEによる無制限のアクセスを可能にし得る。eNB 1610Xは、ピコセル1602XのためのピコセルeNBと呼ばれる、特定のスモールセルeNBである。ピコセル1602Xは、比較的小さい地理的エリアをカバーすることができ、サービスに加入しているUEによる無制限のアクセスを可能にし得る。eNB 1610Yおよび1610Zは、それぞれ、フェムトセル1602Yおよび1602ZのためのフェムトセルeNBと呼ばれる、特定のスモールセルである。以下でより詳細に論じられるように、フェムトセル1602Yおよび1602Zは、比較的小さい地理的エリア(たとえば、自宅)をカバーすることができ、UEによる無制限のアクセス(たとえば、オープンアクセスモードで動作するとき)を、または、そのフェムトセルとの関連性を有するUE(たとえば、限定加入者グループ(CSG)中のUE、自宅内のユーザのUEなど)による制限されたアクセスを可能にし得る。
【０１０７】
ワイヤレスネットワーク1600は、中継局1610Rも含む。中継局は、アップストリーム局(たとえば、eNBまたはUE)からのデータおよび/または他の情報の送信を受信し、ダウンストリーム局(たとえば、UEまたはeNB)へのデータおよび/または他の情報の送信を送る局である。中継局はまた、他のUE(たとえば、モバイルホットスポット)のための送信を中継するUEであってよい。図16に示される例では、中継局1610Rは、eNB 1610AとUE 1620Rとの間の通信を支援するために、eNB 1610AおよびUE 1620Rと通信する。中継局はまた、リレーeNB、リレーなどとも呼ばれ得る。
【０１０８】
ワイヤレスネットワーク1600は、マクロeNB、ピコeNB、フェムトeNB、リレーなどを含む様々なタイプのeNBを含むという点で、異種ネットワークである。上でより詳細に論じられたように、これらの様々なタイプのeNBは、様々な送信出力レベル、様々なカバレッジエリア、およびワイヤレスネットワーク1600中での干渉に対する様々な影響を有し得る。たとえば、マクロeNBは比較的高い送信出力レベルを有し得るが、ピコeNB、フェムトeNB、およびリレーは、(たとえば、10dBm以上の差のような、相対的な差の分だけ)より低い送信出力レベルを有し得る。
【０１０９】
図16に戻ると、ワイヤレスネットワーク1600は、同期または非同期動作をサポートすることができる。同期動作の場合、eNBは同様のフレームタイミングを有してよく、異なるeNBからの送信は近似的に時間的に揃えられ得る。非同期動作の場合、eNBは異なるフレームタイミングを有してよく、異なるeNBからの送信は時間的に揃えられなくてよい。別段述べられない限り、本明細書で説明される技法は、同期動作と非同期動作の両方に使用され得る。
【０１１０】
ネットワークコントローラ1630は、eNBのセットに結合し、これらのeNBの協調および制御を実現することができる。ネットワークコントローラ1630は、バックホールを介してeNB 1610と通信し得る。eNB 1610はまた、たとえば、直接、またはワイヤレスバックホールもしくは有線バックホールを介して間接的に、互いに通信し得る。
【０１１１】
示されるように、UE 1620はワイヤレスネットワーク1600全体に分散していることがあり、各UEは固定式または移動式であってよく、たとえば、携帯電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、または他のモバイルエンティティに対応してよい。図16では、両側に矢印がある実線が、UEとサービングeNBとの間の所望の伝送を示し、サービングeNBは、ダウンリンクおよび/またはアップリンクでUEにサービスするように指定されるeNBである。両方向の矢印を有する破線は、UEとeNBとの間の干渉する可能性のある送信を示す。たとえば、UE 1620Yは、フェムトeNB 1610Y、1610Zに近接していてよい。UE 1620Yからのアップリンク送信は、フェムトeNB 1610Y、1610Zと干渉し得る。UE 1620Yからのアップリンク送信は、フェムトeNB 1610Y、1610Zを妨害し、フェムトeNB 1610Y、1610Zへの他のアップリンク信号の受信の品質を低下させ得る。
【０１１２】
ピコセルeNB 1610XおよびフェムトeNB 1610Y、1610ZのようなスモールセルeNBは、様々なタイプのアクセスモードをサポートするように構成され得る。たとえば、オープンアクセスモードでは、スモールセルeNBは、任意のUEがスモールセルを介して任意のタイプのサービスを取得することを可能にし得る。制限された(または閉じた)アクセスモードでは、スモールセルは、認証されたUEのみがスモールセルを介してサービスを取得することを可能にし得る。たとえば、スモールセルeNBは、ある加入者グループ(たとえば、CSG)に属するUE(たとえば、いわゆるホームUE)のみがスモールセルを介してサービスを取得することを可能にし得る。ハイブリッドアクセスモードでは、外来UE(たとえば、非ホームUE、非CSG UE)は、スモールセルに対する制限されたアクセスを与えられ得る。たとえば、スモールセルのCSGに属さないマクロUEは、スモールセルにより現在サービスされているすべてのホームUEに対して十分なリソースが利用可能である場合にのみ、スモールセルにアクセスすることを許可され得る。
【０１１３】
例として、フェムトeNB 1610Yは、UEへの制限された接続がないオープンアクセスフェムトeNBであってよい。フェムトeNB 1610Zは、あるエリアにカバレッジを提供するために最初に展開される、より送信出力の高いeNBであってよい。フェムトeNB 1610Zは、広いサービスエリアをカバーするように展開され得る。一方、フェムトeNB 1610Yは、eNB 1610CとeNB 1610Zのいずれかまたは両方からのトラフィックをロードするためのホットスポットエリア(たとえば、スポーツアリーナまたは競技場)に対するカバレッジを提供するための、フェムトeNB 1610Zよりも後で展開される送信出力の低いeNBであってよい。
【０１１４】
本明細書で「第1の」、「第2の」などの呼称を使用した要素へのいかなる参照も、それらの要素の量または順序を全般的に限定するものではないことを理解されたい。むしろ、これらの呼称は、2つ以上の要素、または要素の例を区別する便利な方法として本明細書で使用され得る。したがって、第1のおよび第2の要素への参照は、2つの要素のみがそこで利用され得ること、または何らかの形で第1の要素が第2の要素に先行しなければならないことを意味しない。また、別段述べられていない限り、要素のセットは1つまたは複数の要素を備え得る。加えて、本説明または請求項において使われる「A、B、またはCの少なくとも1つ」または「A、B、またはCの1つまたは複数」または「A、B、およびCからなる群の少なくとも1つ」という形の用語は、「AまたはBまたはCまたはこれらの要素の任意の組合せ」を意味する。たとえば、この用語は、A、またはB、またはC、またはAおよびB、またはAおよびC、またはAおよびBおよびC、または2A、または2B、または2Cなどを含み得る。
【０１１５】
上の記述および説明に鑑みて、本明細書で開示される態様に関連して説明された様々な例示的な論理ブロック、モジュール、回路、およびアルゴリズムステップは、電子ハードウェア、コンピュータソフトウェア、または両方の組合せとして実装され得ることを当業者は理解するだろう。ハードウェアおよびソフトウェアのこの互換性を明確に説明するために、様々な例示的なコンポーネント、ブロック、モジュール、回路、およびステップは全般に、それらの機能の観点で説明されている。そのような機能がハードウェアとして実装されるか、またはソフトウェアとして実装されるかは、具体的な適用例および全体的なシステムに課される設計制約に依存する。当業者は、説明された機能を具体的な適用例ごとに様々な方法で実装することができるが、そのような実装の決定は、本開示の範囲からの逸脱をもたらすものと解釈されるべきではない。
【０１１６】
したがって、たとえば、装置または装置の任意のコンポーネントは、本明細書で教示される機能を提供するように構成され得る(または動作可能にされ得る、または適合され得る)ことを理解されたい。これは、たとえば、機能を提供するように装置またはコンポーネントを製造(たとえば、作製)することにより、機能を提供するように装置またはコンポーネントをプログラミングすることにより、または何らかの他の適切な実装技法の使用を介して達成され得る。一例として、集積回路は、必要な機能を提供するために作製され得る。別の例として、集積回路は、必要な機能をサポートするために作製され、次いで、(たとえばプログラミングを介して)必要な機能を提供するように構成され得る。また別の例として、プロセッサ回路は、必要な機能を提供するためにコードを実行することができる。
【０１１７】
その上、本明細書に開示される態様と関連して説明される方法、シーケンス、および/またはアルゴリズムは、直接ハードウェアで、プロセッサによって実行されるソフトウェアモジュールで、またはこの2つの組合せで、具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られているその他の形態の記憶媒体に、存在し得る。プロセッサが記憶媒体から情報を読み取り、記憶媒体に情報を書き込めるように、例示的な記憶媒体がプロセッサに結合される。代替的に、記憶媒体は、プロセッサと一体であってもよい(たとえば、キャッシュメモリ)。
【０１１８】
したがって、たとえば、本開示のいくつかの態様は、免許不要の無線周波数帯域において動作周波数帯を共有する無線アクセス技術(RAT)間の干渉を軽減するための方法を具現化する、コンピュータ可読媒体を含み得ることも理解されたい。
【０１１９】
上記の開示は様々な例示的な態様を示すが、添付の特許請求の範囲によって定義される本開示の範囲から逸脱することなく、示される例に対して様々な変更および修正がなされ得ることに留意されたい。本開示は、具体的に示された例のみに限定されることは意図されない。たとえば、別段述べられない限り、本明細書で説明された本開示の態様に従った方法クレームの機能、ステップ、および/または動作は、特定の順序で行われる必要はない。さらに、いくつかの態様は、単数形で説明または請求されていることがあるが、単数形への限定が明示的に述べられていない限り、複数形が企図される。
【符号の説明】
【０１２０】
100  ワイヤレス通信システム
110A  マクロセル基地局
110B  スモールセル基地局
110C  スモールセル基地局
112  免許不要帯域管理モジュール
120A  ユーザデバイス
120B  ユーザデバイス
120C  ユーザデバイス
122  免許不要帯域管理モジュール
130  ワイドエリアネットワーク
400  スモールセル基地局
402  Wi-Fi無線装置
404  LTE無線装置
406  近隣聴取モジュール
408  近隣聴取モジュール
410  ネットワークインターフェース
412  Wi-Fi SON
414  LTE SON
420  ホスト
422  プロセッサ
424  メモリ
426  Wi-Fiプロトコルスタック
428  LTEプロトコルスタック
430  RATインターフェース
450  局
452  近隣聴取モジュール
460  UE
462  近隣聴取モジュール
500  ユーザデバイス
502  Wi-Fi無線装置
504  LTE無線装置
506  NLモジュール
508  NLモジュール
510  STA
512  UE
520  ホスト
522  プロセッサ
524  メモリ
526  Wi-Fiプロトコルスタック
528  LTEプロトコルスタック
530  RATインターフェース
560  スモールセル基地局
562  AP
564  eNB
602  UE
604A  基地局
604B  AP
606  STA
700  方法
800  方法
900  方法
1000  方法
1102  装置
1104  装置
1106  装置
1108  通信デバイス
1110  送信機
1112  受信機
1114  通信デバイス
1116  送信機
1118  受信機
1120  通信デバイス
1122  送信機
1124  受信機
1126  通信デバイス
1128  送信機
1130  受信機
1132  処理システム
1134  処理システム
1136  処理システム
1138  メモリコンポーネント
1140  メモリコンポーネント
1142  メモリコンポーネント
1144  ユーザインターフェース
1146  ユーザインターフェース
1148  ユーザインターフェース
1200  ワイヤレスデバイス装置
1202  特定するためのモジュール
1204  分類するためにモジュール
1206  送信するためにモジュール
1208  適合させるためのモジュール
1302  決定するためのモジュール
1304  修正するためのモジュール
1306  送信するためのモジュール
1402  受信するためのモジュール
1404  フィルタリングするためのモジュール
1502  分離するためのモジュール
1504  割り振るためのモジュール
1506  受信するためのモジュール
1600  ワイヤレス通信システム、ワイヤレスネットワーク
1602A  マクロセル
1602B  マクロセル
1602C  マクロセル
1602X  ピコセル
1602Y  フェムトセル
1602Z  フェムトセル
1610A  eNB
1610B  eNB
1610C  eNB
1610R  中継局
1610X  eNB
1610Y  eNB
1610Z  eNB
1620  UE
1630  ネットワークコントローラ
【図１】
0006297701.tif 000002
【図２】
0006297701.tif 000003
【図３】
0006297701.tif 000004
【図４】
0006297701.tif 000005
【図５】
0006297701.tif 000006
【図６】
0006297701.tif 000007
【図７】
0006297701.tif 000008
【図８】
0006297701.tif 000009
【図９】
0006297701.tif 000010
【図１０】
0006297701.tif 000011
【図１１】
0006297701.tif 000012
【図１２】
0006297701.tif 000013
【図１３】
0006297701.tif 000014
【図１４】
0006297701.tif 000015
【図１５】
0006297701.tif 000016
【図１６】
0006297701.tif 000017